(57)【要約】  プロファイルサーバからターゲットプロファイルに係わる遠隔プロファイル管理命令を受信する段階と、活性化されたプロファイルが存在するか否かということを判断する段階と、該判断結果に基づき、ターゲットプロファイルのプロファイル保有者情報と、活性化されたプロファイルのプロファイル保有者情報またはプロファイル副所有者情報とが対応するか否かということを確認する段階と、確認結果に基づき、選択的に、遠隔プロファイル管理命令を実行する段階と、を含む端末のプロファイル制御方法を提供する。
2021533670.tif 000002
【特許請求の範囲】
【請求項１】
端末のプロファイル制御方法において、
プロファイルサーバからターゲットプロファイルに係わる遠隔プロファイル管理命令を受信する段階と、
活性化されたプロファイルが存在するか否かということを判断する段階と、
前記判断結果に基づき、前記ターゲットプロファイルのプロファイル保有者情報と、前記活性化されたプロファイルのプロファイル保有者情報またはプロファイル副所有者情報とが対応するか否かということを確認する段階と、
前記確認結果に基づき、選択的に、前記遠隔プロファイル管理命令を実行する段階と、を含む、方法。
【請求項２】
前記副所有者情報は、前記活性化されたプロファイルを内在的に非活性化させることができるプロファイル保有者の情報を含む、請求項１に記載の方法。
【請求項３】
前記活性化されたプロファイルと対応する副所有者情報が存在せず、前記活性化されたプロファイルのプロファイル保有者情報と、前記ターゲットプロファイルのプロファイル保有者情報とが異なる場合、前記活性化されたプロファイルは、内在的に非活性化されるものではない、請求項２に記載の方法。
【請求項４】
前記確認結果に基づき、選択的に、前記遠隔プロファイル管理命令を実行する段階は、
前記ターゲットプロファイルのプロファイル保有者情報と、前記活性化されたプロファイルのプロファイル保有者情報またはプロファイル副所有者情報とが対応する場合、前記活性化されたプロファイルを非活性化させる段階を含む、請求項１に記載の方法。
【請求項５】
前記活性化されたプロファイルを非活性化させる段階は、
前記活性化されたプロファイルを即座に非活性化させるか、あるいは所定動作を遂行した後、前記活性化されたプロファイルを非活性化させるために、非活性化予定状態に表示する、請求項４に記載の方法。
【請求項６】
前記方法は、
前記ターゲットプロファイルを活性化させる段階をさらに含む、請求項４に記載の方法。
【請求項７】
前記ターゲットプロファイルを活性化させる段階は、
前記ターゲットプロファイルを即座に活性化させるか、あるいは所定動作を遂行した後、前記ターゲットプロファイルを活性化させるために、活性化予定状態に表示する、請求項６に記載の方法。
【請求項８】
前記所定動作は、
リフレッシュまたは初期化を含む、請求項５に記載の方法。
【請求項９】
前記確認結果に基づき、選択的に、前記遠隔プロファイル管理命令を実行する段階は、
前記ターゲットプロファイルのプロファイル保有者情報と、前記活性化されたプロファイルのプロファイル保有者情報またはプロファイル副所有者情報とが対応しない場合、前記遠隔プロファイル管理命令を拒否する、請求項１に記載の方法。
【請求項１０】
前記方法は、
プロファイル保有者情報不一致を示すエラーコードを生成する段階をさらに含む、請求項９に記載の方法。
【請求項１１】
プロファイルを制御する端末において、前記端末は、
送受信部と、
プロファイルサーバからターゲットプロファイルに係わる遠隔プロファイル管理命令を受信し、活性化されたプロファイルが存在するか否かということを判断し、前記判断結果に基づき、前記ターゲットプロファイルのプロファイル保有者情報と、前記活性化されたプロファイルのプロファイル保有者情報またはプロファイル副所有者情報とが対応するか否かということを確認し、前記確認結果に基づき、選択的に、前記遠隔プロファイル管理命令を実行するように設定された、前記送受信部と結合された少なくとも１つのプロセッサと、を含む、端末。
【請求項１２】
前記副所有者情報は、前記活性化されたプロファイルを内在的に非活性化させることができるプロファイル保有者の情報を含む、請求項１１に記載の端末。
【請求項１３】
前記活性化されたプロファイルと対応する副所有者情報が存在せず、前記活性化されたプロファイルのプロファイル保有者情報と、前記ターゲットプロファイルのプロファイル保有者情報とが異なる場合、前記活性化されたプロファイルは、内在的に非活性化されるものではない、請求項１２に記載の端末。
【請求項１４】
前記少なくとも１つのプロセッサは、
前記ターゲットプロファイルのプロファイル保有者情報と、前記活性化されたプロファイルのプロファイル保有者情報またはプロファイル副所有者情報とが対応する場合、前記活性化されたプロファイルを非活性化させる、請求項１１に記載の端末。
【請求項１５】
前記少なくとも１つのプロセッサは、
前記活性化されたプロファイルを即座に非活性化させるか、あるいは所定動作を遂行した後、前記活性化されたプロファイルを非活性化させるために、非活性化予定状態に表示する、請求項１４に記載の端末。
【発明の詳細な説明】
【技術分野】
【０００１】
本発明は、無線通信システムにおいて、プロファイルを管理する方法に関する。
【背景技術】
【０００２】
４Ｇ（４ｔｈ-generation）通信システム商用化以後、増加勢にある無線データトラフィック需要を充足するために、改善された５Ｇ（５ｔｈ-generation）通信システムまたはｐｒｅ−５Ｇ通信システムを開発するための努力がなされている。そのような理由により、５Ｇ通信システムまたはｐｒｅ−５Ｇ通信システムは、４Ｇネットワーク以後（beyond ４Ｇ network）通信システムまたはＬＴＥシステム以後（post ＬＴＥ）のシステムと呼ばれている。高いデータ伝送率を達成するために、５Ｇ通信システムは、超高周波（ｍｍＷａｖｅ）帯域（例えば、６０ギガ（６０ＧＨｚ）帯域である）における具現が考慮されている。超高周波帯域における電波の経路損失緩和、及び電波の伝達距離を延長させるために、５Ｇ通信システムにおいては、ビームフォーミング（beamforming）、巨大配列多重入出力（massive ＭＩＭＯ（multiple-input multiple-output））、全次元多重入出力（ＦＤ−ＭＩＭＯ：full dimensional ＭＩＭＯ、）、アレイアンテナ（array antenna）、アナログビームフォーミング（analog beamforming）及び大規模アンテナ（large scale antenna）の技術が論議されている。また、システムのネットワーク改善のために、５Ｇ通信システムにおいては、進化された小型セル、改善された小型セル（advanced small cell）、クラウド無線アクセスネットワーク（ｃｌｏｕｄ ＲＡＮ（radio access network））、超高密度ネットワーク（ultra-dense network）、機器間通信（Ｄ２Ｄ：device to device communication）、無線バックホール（wireless backhaul）、移動ネットワーク（moving network）、協力通信（cooperative communication）、ＣｏＭＰ（coordinated multi-points）及び受信干渉除去（interference cancellation）のような技術開発がなされている。それ以外にも、５Ｇシステムにおいては、進歩されたコーディング変調（ＡＣＭ：advanced coding modulation）方式であるＦＱＡＭ（hybrid ＦＳＫ and ＱＡＭ modulation）及びＳＷＳＣ（sliding window superposition coding）、並びに進歩された接続技術であるＦＢＭＣ（filter bank multi carrier）、ＮＯＭＡ（non-orthogonal multiple access）及びＳＣＭＡ（sparse code multiple access）などが開発されている。
【０００３】
一方、インターネットは、人間が情報を生成して消費する人間中心の連結網において、事物のような分散された構成要素間に情報をやり取り処理する物のインターネット（ＩｏＴ：internet of things）網に進化している。クラウドサーバなどとの連結を介するビッグデータ（big data）処理技術などがＩｏＴ技術に結合されたＩｏＥ（internet of everything）技術も出てきている。ＩｏＴを具現するために、センシング技術、有無線通信及びネットワークインフラ、サービスインターフェース技術、並びに保安技術のような技術要素が要求され、最近では、事物間連結のためのセンサネットワーク（sensor network）、事物通信（ＭｅＭ：machine to machine、Ｍ２Ｍ）、ＭＴＣ（machine type communication）のような技術が研究されている。ＩｏＴ環境においては、連結された事物において生成されたデータを収集、分析し、人間の生活に新たな価値を新たに創出する知能型ＩＴ（internet technology）サービスが提供されうる。ＩｏＴは、既存のＩＴ（information technology）技術と、多様な産業との融合及び複合を介し、スマートホーム、スマートビルディング、スマートシティ、スマートカーあるいはコネックティッドカー、スマートグリッド、ヘルスケア、スマート家電、先端医療サービスなどの分野にも応用される。
【０００４】
そのために、５Ｇ通信システムをＩｏＴ網に適用するための多様な試みがなされている。例えば、センサネットワーク、事物通信（Ｍ２Ｍ）、ＭＴＣのような５Ｇ通信技術が、ビームフォーミング、ＭＩＭＯ及びアレイアンテナなどの技法によって具現されている。前述のビッグデータ処理技術として、クラウド無線アクセスネットワーク（cloud ＲＡＮ）の適用も、５Ｇ技術とＩｏＴ技術との融合一例と言えるのである。
【０００５】
前述のように、移動通信システムの発展により、多様なサービスを提供することができるようになることにより、そのようなサービスを効果的に提供するための方案が要求されている。
【０００６】
前述の情報は、本開示内容の理解の一助とするためにのみ、背景情報として提示される。本開示と係わり、前述のところのいずれも、先行技術として適用されうるか否かということについて、いかなる決定も主張もなされていない。
【発明の概要】
【課題を解決するための手段】
【０００７】
本開示の一実施形態は、無線通信システムにおいて、プロファイル管理方法を提供するものである。
【発明の効果】
【０００８】
開示された実施形態は、移動通信システムにおいて、サービスを効果的に提供することができる装置及びその方法を提供する。
【図面の簡単な説明】
【０００９】
本開示の特定の実施形態の前述のところ、並びに他の態様、特徴および利点は、添付図面と共になされる以下の説明からさらに明らかになるであろう。
【図１】本開示の一部実施形態による、端末が、固定されたプロファイルが搭載されたＵＩＣＣ（universal integrated circuit card）を利用し、移動通信ネットワークに連結する方法を図示する図面である。
【図２】本開示の一部実施形態による、端末にいかなるプロファイルも活性化されていないとき、通信事業者が、プロファイルサーバを介し、端末内プロファイルを遠隔管理する手続きの例を図示する図面である。
【図３Ａ】本開示の一部実施形態による、端末に活性化されたプロファイルがあるとき、通信事業者が、プロファイルサーバを介し、端末内プロファイルを遠隔管理する手続きの例を図示する図面である。
【図３Ｂ】本開示の一部実施形態による、端末に活性化されたプロファイルがあるとき、通信事業者が、プロファイルサーバを介し、端末内プロファイルを遠隔管理する手続きの例を図示する図面である。
【図３Ｃ】本開示の一部実施形態による、端末に活性化されたプロファイルがあるとき、通信事業者が、プロファイルサーバを介し、端末内プロファイルを遠隔管理する手続きの例を図示する図面である。
【図４】本開示の一部実施形態による、端末に活性化されたプロファイルがあるとき、通信事業者が、プロファイルサーバを介し、端末内プロファイルを遠隔管理する手続きの他の例を図示する図面である。
【図５】本開示の一部実施形態より、プロファイルにプロファイル保有者（profile owner）とプロファイル副所有者（profile sub−owner）との情報を定義して使用する方法の一例を図示した図面である。
【図６】本開示の一部実施形態による、端末に活性化されたプロファイルがあるとき、通信事業者が、プロファイルサーバを介し、端末内プロファイルを遠隔管理する手続きのさらに他の例を図示する図面である。
【図７Ａ】本開示の一部実施形態より、端末がプロファイル保有者とプロファイル副所有者との情報を確認し、遠隔管理命令を処理する方法の一例を図示する図面である。
【図７Ｂ】本開示の一部実施形態による、端末が２以上のプロファイルを活性化させることができ、遠隔管理命令を受信したとき、目標プロファイル（target profile）のプロファイル保有者と、現在活性化されたプロファイルのプロファイル副所有者とが少なくとも１以上同じであるか否かということを比較する手続きを示す図面である。
【図８】本開示の一部実施形態による、端末の構成を図示する図面である。
【図９】本開示の一部実施形態による、プロファイルサーバの構成を図示する図面である。
【００１０】
図面全体にわたり、類似した参照番号は、類似した部品、構成要素及び構造を称すると理解されるものである。
【発明を実施するための形態】
【００１１】
本開示の実施形態は、少なくとも前述の問題点及び／または短所を解決し、少なくとも以下で説明される利点を提供するものである。従って、本開示の目的は、移動通信システムにおいて、サービスを効果的に提供するための方法及びその装置を提供するものである。
【００１２】
さらなる側面は、以下の説明で部分的に説明されるが、部分的な説明から明白であり、提示された実施例の実行によっても学習されるであろう。
【００１３】
本開示の一実施形態によれば、端末のプロファイル制御方法において、前記方法は、プロファイルサーバからターゲットプロファイルに係わる遠隔プロファイル管理（ＲＰＭ（remote profile management））命令を受信する段階と、活性化された（enabled）プロファイルが存在するか否かということを判断する段階と、前記判断結果に基づき、前記ターゲットプロファイルのプロファイル保有者情報と、前記活性化されたプロファイルのプロファイル保有者情報またはプロファイル副所有者情報とが対応するか否かということを確認（verifying）する段階と、前記確認結果に基づき、選択的に、前記遠隔プロファイル管理命令を実行する段階と、を含んでもよい。
【００１４】
本開示の一実施形態によれば、前記副所有者情報は、前記活性化されたプロファイルを内在的に非活性化させる（implicit disable）ことができるプロファイル保有者の情報を含んでもよい。
【００１５】
本開示の一実施形態によれば、前記活性化されたプロファイルと対応する副所有者情報が存在せず、前記活性化されたプロファイルのプロファイル保有者情報と、前記ターゲットプロファイルのプロファイル保有者情報とが異なる場合、前記活性化されたプロファイルは、内在的に非活性化されることがないのである。
【００１６】
本開示の一実施形態によれば、前記確認結果に基づき、選択的に、前記遠隔プロファイル管理命令を実行する段階は、前記ターゲットプロファイルのプロファイル保有者情報と、前記活性化されたプロファイルのプロファイル保有者情報またはプロファイル副所有者情報とが対応する場合、前記活性化されたプロファイルを非活性化させる段階を含んでもよい。
【００１７】
前記非活性化させる段階は、前記活性化されたプロファイルを即座に非活性化させる（disable）か、あるいは所定動作を遂行した後、前記活性化されたプロファイルを非活性化させるために、非活性化予定状態に表示することができる。
【００１８】
前記方法は、前記ターゲットプロファイルを活性化させる（enable）段階をさらに含んでもよい。
【００１９】
前記活性化させる段階は、前記ターゲットプロファイルを即座に活性化させるか、あるいは所定動作を遂行した後、前記ターゲットプロファイルを活性化させるために、活性化予定状態に表示することができる。
【００２０】
前記所定動作は、リフレッシュ（refresh）または初期化（reset）を含んでもよい。
【００２１】
前記確認結果に基づき、選択的に、前記遠隔プロファイル管理命令を実行する段階は、前記ターゲットプロファイルのプロファイル保有者情報と、前記活性化されたプロファイルのプロファイル保有者情報またはプロファイル副所有者情報とが対応しない場合、前記遠隔プロファイル管理命令を拒否することができる。
【００２２】
前記方法は、プロファイル保有者情報不一致を示すエラーコードを生成する段階をさらに含んでもよい。
【００２３】
本開示の他の実施形態によれば、プロファイルを制御する端末において、前記端末は、送受信部と、プロファイルサーバからターゲットプロファイルに係わる遠隔プロファイル管理命令を受信し、活性化されたプロファイルが存在するか否かということを判断し、前記判断結果に基づき、前記ターゲットプロファイルのプロファイル保有者情報と、前記活性化されたプロファイルのプロファイル保有者情報またはプロファイル副所有者情報とが対応するか否かということを確認し、前記確認結果に基づき、選択的に、前記遠隔プロファイル管理命令を実行するように設定された、前記送受信部と結合された少なくとも１つのプロセッサと、を含んでもよい。
【００２４】
前記少なくとも１つのプロセッサは、前記ターゲットプロファイルのプロファイル保有者情報と、前記活性化されたプロファイルのプロファイル保有者情報またはプロファイル副所有者情報とが対応する場合、前記活性化されたプロファイルを非活性化させることもできる。
【００２５】
前記少なくとも１つのプロセッサは、前記活性化されたプロファイルを即座に非活性化させるか、あるいは所定動作を遂行した後、前記活性化されたプロファイルを非活性化させるために、非活性化予定状態に表示することができる。
【００２６】
前記少なくとも１つのプロセッサは、前記ターゲットプロファイルを活性化させることができる。
【００２７】
前記少なくとも１つのプロセッサは、前記ターゲットプロファイルを即座に活性化させるか、あるいは所定動作を遂行した後、前記ターゲットプロファイルを活性化させるために、活性化予定状態に表示することができる。
【００２８】
前記少なくとも１つのプロセッサは、前記ターゲットプロファイルのプロファイル保有者情報と、前記活性化されたプロファイルのプロファイル保有者情報またはプロファイル副所有者情報とが対応しない場合、前記遠隔プロファイル管理命令を拒否することができる。
【００２９】
前記少なくとも１つのプロセッサは、プロファイル保有者情報不一致を示すエラーコードを生成することができる。
【００３０】
本開示の他の実施形態、利点及び顕著な特徴は、添付図面と共に、本開示の多様な実施形態を開示する以下の詳細な説明から当業者に明らかになるであろう。
【００３１】
添付された図面を参照した後の説明は、請求範囲及びその均等物によって定義された本開示の多様な実施形態の包括的な理解の一助とするために提供される。理解の一助とするために、多様な特定細部事項が含まれているが、それは、ただ、例示的なものであると見なされなければならない。従って、当業者は、本明細書において説明された多様な実施形態の多様な変更及び修正が、本開示の範囲及び思想を外れずにもなされるということを認識するであろう。また、周知の機能及び構成に係わる説明は、明確性及び簡潔性のためにも省略される。
【００３２】
以下の説明、及び請求範囲で使用される用語及び単語は、書誌的意味に制限されるものではなく、本発明の明確であって一貫された理解を可能にするために、発明者によって使用されたものである。従って、本開示の多様な実施形態に係わる以下の説明は、添付された請求範囲及びその均等物によって定義された開示を制限する目的ではなく、ただ、例示目的に提供されるということは、当業者に明白であろう。
【００３３】
単数形態である「ａ」、「ａｎ」、及び「ｔｈｅ」は、文脈上明白に異なって指示されない限り、複数の指示対象を含むと理解されなければならない。従って、例えば、「構成要素表面」に係わる言及は、そのような表面のうち１以上に係わる参照を含む。
【００３４】
同じ理由により、添付図面において、一部構成要素は、誇張されたり省略されたりし、あるいは概略的にも図示される。また、各構成要素の大きさは、実際サイズを全面的に反映させるものではない。各図面において、同一であるか、あるいは対応する構成要素には、同一参照番号を付した。
【００３５】
本開示の利点、特徴、及びそれらを達成する方法は、添付図面と共に詳細に後述されている実施形態を参照すれば、明確になるであろう。しかし、本開示は、以下で開示される実施形態に限定されるものではなく、互いに異なる多様な形態にも具現され、本開示が属する技術分野で当業者に、開示の範疇を知らせるために提供されるものである。本開示は、請求項の範疇によって定義されるのみである。
【００３６】
明細書全体にわたり、同一参照符号は、同一構成要素を称する。
【００３７】
このとき、フローチャートの各ブロックと、フローチャートの組み合わせは、コンピュータプログラムインストラクションによって遂行されうるということを理解することができるであろう。それらコンピュータプログラムインストラクションは、汎用コンピュータ、特殊用コンピュータ、またはその他プログラム可能なデータプロセッシング装備のプロセッサにも搭載されるので、コンピュータ、またはその他プログラム可能なデータプロセッシング装備のプロセッサを介して遂行されるそのインストラクションが、フローチャートブロックで説明された機能を遂行する手段を生成することになる。それらコンピュータプログラムインストラクションは、特定方式で機能を具現するために、コンピュータ、またはその他プログラム可能なデータプロセッシング装備を志向することができるコンピュータ利用可能またはコンピュータ判読可能なメモリに保存されることも可能であるので、そのコンピュータ利用可能またはコンピュータ判読可能なメモリに保存されたインストラクションは、フローチャートブロックで説明された機能を遂行するインストラクション手段を内包する製造品目を生産することも可能である。該コンピュータプログラムインストラクションは、コンピュータ上、またはその他プログラム可能なデータプロセッシング装備上に搭載されることも可能であるので、コンピュータ上、またはその他プログラム可能なデータプロセッシング装備上において、一連の動作段階が遂行され、コンピュータで実行されるプロセスを生成し、コンピュータ、またはその他プログラム可能なデータプロセッシング装備を遂行するインストラクションは、フローチャートブロックで説明された機能を実行するための段階を提供することも可能である。
【００３８】
また、各ブロックは、特定された論理的機能を実行するための１以上の実行可能なインストラクションを含むモジュール、セグメントまたはコードの一部を示すことができる。また、いくつかの代替実行形態においては、ブロックで言及された機能が、順序を外れて発生することも可能であるということに注目しなければならない。例えば、続けて図示されている２つのブロックは、実は、実質的に同時に遂行されることも可能であり、あるいはそのブロックが時折当該機能により、逆順に遂行されることも可能である。
【００３９】
このとき、本実施形態で使用される「〜部」という用語は、ソフトウェアまたはＦＰＧＡ（field programmable gate array）またはＡＳＩＣ（application specific integrated circuit）のようなハードウェア構成要素を意味し、「〜部」は、ある役割を遂行する。しかしながら、「〜部」は、ソフトウェアまたはハードウェアに限定される意味ではない。「〜部」は、アドレッシングすることができる記録媒体にあるようにも構成され、１またはそれ以上のプロセッサを再生させるようにも構成される。従って、一例として、「〜部」は、ソフトウェア構成要素、客体志向ソフトウェア構成要素、クラス構成要素及びタスク構成要素のような構成要素、及びプロセス、関数、属性、プロシージャ、サブルーチン、プログラムコードのセグメント、ドライバ、ファームウェア、マイクロコード、回路、データ、データベース、データ構造、テーブル、アレイ及び変数を含む。構成要素と「〜部」とのうちで提供される機能は、さらに小数の構成要素及び「〜部」に結合されるか、あるいはさらなる構成要素と「〜部」とにもさらに分離される。それだけでなく、構成要素及び「〜部」は、デバイスまたは保安マルチメディアカード内の１またはそれ以上のＣＰＵ（central processing unit）を再生させるようにも具現される。
【００４０】
以下の説明において使用される特定用語は、本開示の理解の一助とするために提供されたものであり、そのような特定用語の使用は、本開示の技術的思想を外れない範囲において、他の形態にも変更される。
【００４１】
ＵＩＣＣ（universal integrated circuit card）は、移動通信端末機などに挿入して使用するスマートカード（smart card）であり、ＵＩＣＣカードとも呼ぶ。ＵＩＣＣに、移動通信事業者網に接続するための接続制御モジュールが含まれるのである。該接続制御モジュールの例としては、ＵＳＩＭ（universal subscriber identity module）、ＳＩＭ（subscriber identity module）、ＩＳＩＭ（ＩＰ multimedia service identity module）などがある。ＵＳＩＭが含まれたＵＩＣＣを、一般的に、ＵＳＩＭカードとも呼ぶ。同様に、ＳＩＭモジュールが含まれたＵＩＣＣを、一般的に、ＳＩＭカードとも呼ぶ。
【００４２】
本開示に開示された用語である「ＳＩＭカード」、「ＵＩＣＣカード」、「ＵＳＩＭカード」、「ＩＳＩＭが含まれたＵＩＣＣ」は、以下において、同じ意味にも使用される。また、ＳＩＭカードに対する技術的適用が、ＵＳＩＭカード、ＩＳＩＭカード、または一般的なＵＩＣＣカードにも、同一に適用される。
【００４３】
ＳＩＭカードは、移動通信加入者の個人情報を保存し、移動通信ネットワークに接続するとき、加入者認証及びトラフィック（traffic）保安キー生成を行い、安全な移動通信利用を可能にする。
【００４４】
ＳＩＭカードは、本開示を提案する時点において、一般的に、カード製造時、特定移動通信事業者の要請により、当該事業者のための専用カードとして製造され、当該事業者のネットワーク接続のための認証情報、例えば、ＵＳＩＭアプリケーション及びＩＭＳＩ（international mobile subscriber identity）、Ｋ値、ＯＰｃ値などが事前にカードに搭載されて出庫される。製造されたＳＩＭカードは、当該移動通信事業者が納品されて加入者に提供され、その後、必要時には、ＯＴＡ（over the air）のような技術を活用し、ＵＩＣＣ内アプリケーションのインストール、修正、削除などの管理も行うことができる。加入者は、所有している移動通信端末機にＵＩＣＣカードを挿入し、当該移動通信事業者のネットワーク及び応用サービスの利用が可能であり、端末機交換時、ＵＩＣＣカードを、既存端末機から新たな端末機に移動挿入することにより、ＵＩＣＣカードに保存された認証情報、移動通信電話番号、個人電話帳などを、新たな端末機でそのまま使用が可能である。
【００４５】
しかし、ＳＩＭカードは、移動通信端末機ユーザが異なる移動通信社のサービスを提供されるにおいて、不都合な点がある。移動通信端末機ユーザは、移動通信事業者からサービスを受けるために、ＳＩＭカードを物理的に獲得しなければならない不都合がある。例えば、他国に旅行したとき、現地移動通信サービスを受けるためには、現地ＳＩＭカードを求めなければならない不都合がある。ローミングサービスの場合、その不都合さがある程度解決されるが、料金が相対的に高く、通信社間において契約されていない場合、サービスを受けることができないという問題もある。
【００４６】
一方、ＵＩＣＣカードに、ＳＩＭモジュールを遠隔でダウンロードされてインストールする場合、そのような不都合を相当部分解決することができる。すなわち、ユーザが所望する時点において使用する移動通信サービスのＳＩＭモジュールを、ＵＩＣＣカードにダウンロードすることができる。ＵＩＣＣカードは、また複数個のＳＩＭモジュールをダウンロードしてインストールし、そのうちの１つのＳＩＭモジュールのみを選択して使用することができる。また、ＵＩＣＣカードは、端末に固定させても固定させなくともよい。端末に固定させて使用するＵＩＣＣを、ｅＵＩＣＣ（embedded ＵＩＣＣ）と言うが、一般的に、ｅＵＩＣＣは、端末に固定して使用され、遠隔でＳＩＭモジュールをダウンロードして選択することができるＵＩＣＣカードを意味するのである。以下の本開示においては、遠隔でＳＩＭモジュールをダウンロードして選択することができるＵＩＣＣカードを、ｅＵＩＣＣと総称する。すなわち、遠隔でＳＩＭモジュールをダウンロードして選択することができるＵＩＣＣカードのうち、端末に固定させたり固定させなかったりするＵＩＣＣカードを総称してｅＵＩＣＣとして使用する。また、ダウンロードするＳＩＭモジュール情報を総称し、ｅＵＩＣＣプロファイル、またはさらに簡単にプロファイルという用語でもって使用する。
【００４７】
以下では、本明細書で使用される用語につき、さらに詳細に説明する。
【００４８】
本開示においてＵＩＣＣは、移動通信端末機に挿入して使用するスマートカードであり、移動通信加入者のネットワーク接続認証情報、電話帳、ＳＭＳ（short messaging service）のような個人情報が保存され、ＧＳＭ（global system for mobile communications）、ＷＣＤＭＡ（登録商標）（wideband code division multiple access）、ＬＴＥ（long term evolution）のような移動通信ネットワークに接続するとき、加入者認証及びトラフィック保安キー生成を行い、安全な移動通信利用を可能にするチップを意味するのである。ＵＩＣＣは、加入者が接続する移動通信ネットワークの種類により、ＳＩＭ、ＵＳＩＭ、ＩＳＩＭのような通信アプリケーションが搭載され、また電子財布、チケッティング、電子パスポートのような多様な応用アプリケーションの搭載のための上位レベルの保安機能を提供することができる。
【００４９】
本開示においてｅＵＩＣＣは、端末に／から挿入及び脱去が可能である脱着式ではない、端末に内蔵されたチップ形態の保安モジュールである。ｅＵＩＣＣは、ＯＴＡ技術を利用し、プロファイルをダウンロードされてインストールすることができる。言い替えれば、ｅＵＩＣＣは、プロファイルダウンロード及びインストールが可能なＵＩＣＣでもある。
【００５０】
本開示において、ｅＵＩＣＣにＯＴＡ技術を利用し、プロファイルをダウンロードされてインストールする方法は、端末に／から挿入及び脱去が可能な脱着式ＵＩＣＣにも適用される。本開示の実施形態は、ＯＴＡ技術を利用し、プロファイルをダウンロードされてインストールすることができるＵＩＣＣにも適用される。
【００５１】
本開示において用語ＵＩＣＣは、ＳＩＭとも混用され、用語ｅＵＩＣＣは、ｅＳＩＭとも混用される。本開示においてプロファイルは、ＵＩＣＣ内に保存されるアプリケーション、ファイルシステム、認証キー値などを、ソフトウェア形態にパッケージングしたものを意味するのである。また、本開示においてＵＳＩＭプロファイルは、プロファイルと同一意味、またはプロファイル内ＵＳＩＭアプリケーションに含まれた情報をソフトウェア形態にパッケージングしたものを意味するのである。
【００５２】
本開示において、端末がプロファイルを活性化させる動作は、当該プロファイルの状態を活性化状態に変更し、端末が、当該プロファイルを提供した通信事業者を介し、通信サービスを受けることができるように設定する動作を意味するのである。活性化状態のプロファイルは、「活性化されたプロファイル」とも表現される。
【００５３】
本開示において、端末に１以上のプロファイルがインストールされた場合、端末の特定時点において活性化状態にあるプロファイルの個数は、制限されうる。本開示の多様な実施形態において、活性化状態にあるプロファイルは、一つに制限されることを仮定しているが、複数のプロファイルが活性化状態にもあり、複数のプロファイルが活性化状態にある端末の場合、本開示の多様な実施形態は、それにより、拡張されても適用されることに留意しなければならない。
【００５４】
本開示において、端末がプロファイルを非活性化させる動作は、当該プロファイルの状態を非活性化状態に変更し、端末が、当該プロファイルを提供した通信事業者を介し、通信サービスを受けることができないように設定する動作を意味するのである。非活性化状態のプロファイルは、「非活性化されたプロファイル」とも表現される。
【００５５】
本開示において、端末がプロファイルを削除する（delete）動作は、当該プロファイルの状態を削除状態に変更し、端末が、それ以上当該プロファイルを活性化または非活性化させることができないように設定する動作を意味するのである。削除状態のプロファイルは、「削除されたプロファイル」とも表現される。
【００５６】
本開示において、端末がプロファイルを活性化、非活性化または削除する動作は、各プロファイルの状態を活性化状態、非活性化状態または削除状態に即座に変更せず、各プロファイルを活性化予定（to be enabled）状態、非活性化予定（to be disabled）状態または削除予定（to be deleted）状態にまず表示だけしておき、端末、あるいは端末のＵＩＣＣが特定動作を遂行した後、各プロファイルを活性化状態、非活性化状態または削除状態に変更する動作をも意味する。端末、あるいは端末のＵＩＣＣが遂行する特定動作は、例えば、リフレッシュ命令または初期化命令の遂行でもある。そのように、特定プロファイルを、予定状態（例えば、活性化予定状態、非活性化予定状態または削除予定状態）に表示する動作は、必ずしも１つのプロファイルにつき、１つの予定状態を表示することに制限されるものではなく、１以上のプロファイルを特定予定状態にそれぞれ表示するか、１つのプロファイルを１以上の予定状態に表示するか、あるいは１以上のプロファイルを１以上の予定状態にそれぞれ表示することも可能である。また、端末は、任意のプロファイルにつき、１以上の予定状態を表示する場合、２つの表示は、一つにも統合される。例えば、任意のプロファイルが非活性化予定状態及び削除予定状態に表示された場合、当該プロファイルは、非活性化状態及び削除予定状態にも統合表示される。
【００５７】
本開示においてプロファイル提供サーバは、プロファイルを生成するか、生成されたプロファイルを暗号化するか、プロファイル遠隔管理命令語を生成するか、あるいは生成されたプロファイル遠隔管理命令語を暗号化する機能を含んでもよい。プロファイル提供サーバは、ＳＭ−ＤＰ（subscription manager data preparation）、ＳＭ−ＤＰ＋（subscription manager data preparation plus）、off-card entity of profile domain、プロファイル暗号化サーバ、プロファイル生成サーバ、プロファイル提供者（ＰＰ：profile provisioner）、プロファイル供給者（profile provider）、ＰＰＣ holder（profile provisioning credentials holder）のうち少なくとも一つによっても表現される。
【００５８】
本開示においてプロファイル管理サーバは、ＳＭ−ＳＲ（subscription manager secure routing）、ＳＭ−ＳＲ＋（subscription manager secure routing plus）、off-card entity of ｅＵＩＣＣprofile managerまたはＰＭＣ holder（profile management credentials holder）、ＥＭ（ｅＵＩＣＣ manager）のうち少なくとも一つによっても表現される。
【００５９】
本開示において、プロファイル提供サーバを称するとき、プロファイル管理サーバの機能を合わせたものを総称するものでもある。従って、以下の本開示の多様な実施形態において、プロファイル提供サーバの動作は、プロファイル管理サーバにおいても遂行される。同様に、プロファイル管理サーバまたはＳＭ−ＳＲについて記述する動作は、プロファイル提供サーバにおいても遂行されるということは、言うまでもない。また、本開示の明細書において、プロファイル提供サーバまたはプロファイル管理サーバは、プロファイルサーバとも表現される。該プロファイルサーバは、プロファイル提供サーバまたはプロファイル管理サーバのうち一つでもあり、プロファイル提供サーバとプロファイル管理サーバとをいずれも含む装置でもある。
【００６０】
本開示において開通仲介サーバは、ＳＭ−ＤＳ（subscription manager discovery service）、ＤＳ（discovery service）、根源開通仲介サーバ（root ＳＭ−ＤＳ）、代替開通仲介サーバ（alternative ＳＭ−ＤＳ）のうち少なくとも一つによっても表現される。該開通仲介サーバは、１以上のプロファイル提供サーバまたは開通仲介サーバから、イベント登録要請（register event request、event register request）を受信することができる。また、１以上の開通仲介サーバが複合的にも使用され、その場合、第１開通仲介サーバは、プロファイル提供サーバだけではなく、第２開通仲介サーバから、イベント登録要請を受信することもできる。該プロファイルサーバは、開通仲介サーバを含んでもよい。
【００６１】
本開示において、プロファイル提供サーバと開通仲介サーバは、「ＲＳＰ（remote ＳＩＭ provisioning）サーバ」という名称によっても総称される。ＲＳＰサーバは、ＳＭ−ＸＸ（subscription manager ＸＸ）とも表現される。
【００６２】
本開示で使用する用語「端末」は、移動局（ＭＳ）、ユーザ装備（ＵＥ：user equipment）、ユーザターミナル（ＵＴ：user terminal）、無線ターミナル、アクセスターミナル（ＡＴ）、ターミナル、加入者ユニット（subscriber unit）、加入者ステーション（ＳＳ：subscriber station）、無線機器（wireless device）、無線通信デバイス、無線送受信ユニット（ＷＴＲＵ：wireless transmit/receive unit）、移動ノード、モバイル、または他の用語でもっても称される。端末の多様な実施形態は、セルラ電話機、無線通信機能を有するスマートフォン、無線通信機能を有する個人携帯用端末機（ＰＤＡ）、無線モデム、無線通信機能を有する携帯用コンピュータ、無線通信機能を有するデジタルカメラのような撮影装置、無線通信機能を有するゲーミング装置、無線通信機能を有する音楽の保存及び再生の家電製品、無線インターネット接続及びブラウジングが可能なインターネット家電製品だけではなく、そのような機能の組み合わせを統合している携帯型ユニットまたは端末機を含んでもよい。また、該端末は、Ｍ２Ｍ（machine to machine）端末、ＭＴＣ（machine type communication）端末／デバイスを含んでもよいが、それらに限定されるものではない。本開示において端末は、電子装置と称することもできる。
【００６３】
本開示において電子装置は、プロファイルをダウンロードしてインストールすることができるＵＩＣＣが内蔵されうる。ＵＩＣＣが電子装置に内蔵されていない場合、物理的に電子装置と分離されたＵＩＣＣは、電子装置に挿入されて電子装置とも連結される。例えば、ＵＩＣＣは、カード形態で電子装置にも挿入される。該電子装置は、端末を含んでもよく、このとき、該端末は、プロファイルをダウンロードしてインストールすることができるＵＩＣＣを含む端末でもある。該端末に、ＵＩＣＣは、内蔵されるものだけではなく、端末とＵＩＣＣとが分離された場合、ＵＩＣＣは、端末にも挿入され、端末に挿入され、端末とも連結される。プロファイルをダウンロードしてインストールすることができるＵＩＣＣは、例えば、ｅＵＩＣＣとも称する。
【００６４】
本開示において、端末または電子装置は、ＵＩＣＣまたはｅＵＩＣＣを制御するように、端末内または電子装置内にインストールされたソフトウェアまたはアプリケーションを含んでもよい。該ソフトウェアまたは該アプリケーションは、例えば、ＬＡＰ（local profile assistant）とも称する。
【００６５】
本開示においてプロファイル区分子は、プロファイル識別子（profile ＩＤ）、ＩＣＣＩＤ（integrated circuit card ＩＤ）、Matching ＩＤ、イベント識別子（event ＩＤ）、活性化コード（activation code）、活性化コードトークン（activation code token）、命令コード（command code）、命令コードトークン（command code token）、ＩＳＤ−Ｐまたはプロファイルドメイン（ＰＤ：profile domain）とマッチングされる因子とも称される。プロファイル識別子（profile ＩＤ）は、各プロファイルの固有識別子を示すことができる。プロファイル区分子は、プロファイルを索引ことができるプロファイル提供サーバ（ＳＭ−ＤＰ＋）のアドレスを含んでもよい。
【００６６】
本開示においてｅＵＩＣＣ識別子（ｅＵＩＣＣ ＩＤ）は、端末に内蔵されたｅＵＩＣＣの固有識別子でもあり、ＥＩＤとも称される。また、ｅＵＩＣＣにプロビジョニングプロファイル（provisioning profile）が事前に搭載されている場合、当該プロビジョニングプロファイルの識別子（provisioning profile のprofile ＩＤ）でもある。また、本開示の実施形態のように、端末とｅＵＩＣＣチップとが分離されていない場合には、端末ＩＤでもある。また、ｅＵＩＣＣチップの特定保安ドメイン（secure domain）を称することもできる。
【００６７】
本開示においてプロファイルコンテナ（profile container）は、プロファイルドメイン（profile domain）とも命名される。プロファイルコンテナ（profile container）は、保安ドメイン（security domain）でもある。
【００６８】
本開示においてＡＰＤＵ（application protocol data unit）は、端末がｅＵＩＣＣと連動するためのメッセージでもある。また、該ＡＰＤＵは、ＰＰ（profile provisioner）またはＰＭ（profile manager）がｅＵＩＣＣと連動するためのメッセージでもある。
【００６９】
本開示においてＰＰＣ（profile provisioning credentials）は、プロファイル提供サーバとｅＵＩＣＣとの相互認証、及びプロファイル暗号化、署名を行うのに利用される手段でもある。該ＰＰＣは、対称キー、ＲＳＡ（Rivest Shamir Adleman）の認証書及び個人キー、ＥＣＣ（elliptic curved cryptography）の認証書及び個人キー、最上位認証機関（root ＣＡ（certification authority））及び認証書連鎖（chain）のうち１以上を含んでもよい。また、プロファイル提供サーバが複数個である場合には、複数個のプロファイル提供サーバ別に異なるＰＰＣを、ｅＵＩＣＣに保存したり、使用したりすることができる。
【００７０】
本開示においてＰＭＣ（profile management credentials）は、プロファイル管理サーバとｅＵＩＣＣとの相互認証、及び伝送データ暗号化、署名を行うのに利用される手段でもある。該ＰＭＣは、対称キー、ＲＳＡの認証書及び個人キー、ＥＣＣの認証書及び個人キー、root ＣＡ及び認証書連鎖のうち１以上を含んでもよい。また、プロファイル管理サーバが複数個である場合には、複数個のプロファイル管理サーバ別に異なるＰＭＣを、ｅＵＩＣＣに保存したり、使用したりすることができる。
【００７１】
本開示においてＡＩＤは、アプリケーション識別子（application identifier）でもある。この値は、ｅＵＩＣＣ内において、互いに異なるアプリケーションを区分する区分子でもある。
【００７２】
本開示でイベント（Ｅｖｅｎｔ）は、プロファイルダウンロードまたは遠隔プロファイル管理（ＲＰＭ）、あるいはその他プロファイルやｅＵＩＣＣの管理／処理命令語を総称する用語でもある。該イベントは、遠隔ＳＩＭ提供動作（remote ＳＩＭ provisioning operationまたはＲＳＰ動作（ＲＳＰ operation））またはイベント記録（event record）とも命名され、各イベントは、それに対応するイベント識別子（event identifier（event ＩＤ）またはマッチング識別子（matching identifier（matching ＩＤ））と、当該イベントが保存されたプロファイル提供サーバ（ＳＭ−ＤＰ＋）または開通仲介サーバ（ＳＭ−ＤＳ）のアドレス（ＦＱＤＮ、ＩＰ addressまたはＵＲＬ）とを少なくとも１以上含むデータとも称される。プロファイルダウンロードは、プロファイルインストール（profile installation）とも混用される。また、イベント種類（event type）は、特定イベントがプロファイルダウンロードであるか、遠隔プロファイル管理（例えば、削除、活性化、非活性化、交替、アップデートなど）であるか、あるいはまたはその他プロファイルやｅＵＩＣＣの管理／処理命令であるかということを示す用語としても使用され、動作種類（operation typeまたはOperationType）、動作分類（operation classまたはOperationClass）、イベント要請種類（event request type）、イベント分類（event class）、イベント要請分類（event request class）などとも命名される。
【００７３】
本開示においてプロファイルパッケージ（profile package）は、プロファイルと混用されるか、あるいは特定プロファイルのデータ客体（data object）を示す用語としても使用され、profile ＴＬＶ（tag/length/value）またはプロファイルパッケージＴＬＶ（profile package ＴＬＶ）とも命名される。該プロファイルパッケージが、暗号化パラメータを利用して暗号化された場合、保護されたプロファイルパッケージ（ＰＰＰ（protected profile package））または保護されたプロファイルパッケージＴＬＶ（ＰＰＰ ＴＬＶ）とも命名される。該プロファイルパッケージが、特定ｅＵＩＣＣによってのみ復号可能な暗号化パラメータを利用して暗号化された場合、まとめられたプロファイルパッケージ（ＢＰＰ（bound profile package））またはまとめられたプロファイルパッケージＴＬＶ（ＢＰＰ ＴＬＶ）とも命名される。該プロファイルパッケージＴＬＶは、ＴＬＶ形式でプロファイルを構成する情報を表現するデータセットでもある。
【００７４】
本開示において遠隔プロファイル管理（ＲＰＭ）は、プロファイル遠隔管理、遠隔管理（remote management）、遠隔管理命令（remote management command）、遠隔命令（remote command）、遠隔プロファイル管理パッケージ（ＲＰＭ package）、プロファイル遠隔管理パッケージ（profile remote management package）、遠隔管理パッケージ（remote management package）、遠隔管理命令パッケージ（remote management command package）、遠隔命令パッケージ（remote command package）とも命名される。該遠隔プロファイル管理は、特定プロファイルの状態（enabled、disabled、deleted）を変更するか、あるいは特定プロファイルの内容（例えば、プロファイルの別称（profile nickname）またはプロファイル要約情報（profile metadata）など）を変更（update）する用途にも使用される。該遠隔プロファイル管理は、１以上の遠隔管理命令を含み、各遠隔管理命令の対象になるプロファイルは、遠隔管理命令ごとに互いに同じであっても、異なっていてもよい。
【００７５】
本開示において認証書（certificate）またはデジタル認証書（digital certificate）は、公開キー（ＰＫ：public key）と秘密キー（ＳＫ：secret key）との対によって構成される非対称キー（asymmetric key）基盤の相互認証（mutual authentication）に使用されるデジタル認証書を示すことができる。各認証書は、１またはそれ以上の公開キー（ＰＫ）、各公開キーに対応する公開キー識別子（ＰＫＩＤ：public key identifier）、当該認証書を発給した認証書発給者（ＣＩ：certificate issuer）のＣＩ識別子（certificate issue rＩＤ）、及びデジタル署名（digital signature）を含んでもよい。また、認証書発給者（ＣＩ）は、認証発給者（Certification Issuer）、認証書発給機関（ＣＡ：certificate authority）、認証発給機関（Certification Authority）などとも命名される。本開示において、公開キー（ＰＫ）と公開キー識別子（ＰＫＩＤ）は、特定公開キー、または当該公開キーが含まれた認証書、特定公開キーの一部分、または当該公開キーが含まれた認証書の一部分、特定公開キーの演算結果（例えば、ハッシュ（hash）値）、または当該公開キーが含まれた認証書の演算結果（例えば、ハッシュ値）、特定公開キーの一部分の演算結果（例えば、ハッシュ値）、または当該公開キーが含まれた認証書の一部分の演算結果（例えば、ハッシュ値）、あるいは前記データが保存された保存空間を称するところと同一意味にも混用される。
【００７６】
本開示において、１人の認証書発給者が発給した認証書（一次認証書）が、他の認証書（二次認証書）発給に使用されるか、あるいは二次認証書が、三次以上の認証書を連繋的に発給するのに使用される場合、当該認証書の相関関係は、認証書連鎖（certificate chain）または認証書階層構造（certificate hierarchy）とも命名され、このとき、最初認証書発給に使用されたＣＩ認証書は、認証書根源（root of certificate）、最上位認証書、根源ＣＩ（root ＣＩ）、根源ＣＩ認証書（root ＣＩ certificate）、根源ＣＡ（root ＣＡ）根源ＣＡ認証書（root ＣＡ certificate）などとも命名される。
【００７７】
本開示において、通信事業者（mobile operator）は、端末に通信サービスを提供する事業体を示すことができ、通信事業者の事業支援システム（ＢＳＳ：business supporting system）、運用支援システム（ＯＳＳ：operational supporting system）、ＰＯＳ端末（point of sale terminal）、及びその他ＩＴシステムをいずれも総称することができる。また、本開示において通信事業者は、通信サービスを提供する特定事業体を一つだけ表現するのに限定されるものではなく、１以上の事業体のグループまたは連合体（associationまたはconsortium）、あるいは当該グループまたは連合体を代表する代表者（representative）を称する用語としても使用される。また、本開示において通信事業者は、事業者（ＯＰ（operator）またはＯｐ．）、モバイルネットワーク運用者（ＭＮＯ：mobile network operator）、サービス提供者（ＳＰ：service provider）、プロファイル保有者（ＰＯ：profile owner）などとも命名され、各通信事業者は、通信事業者の名称及び／または固有識別子（ＯＩＤ：object identifier）を少なくとも１以上設定するか、あるいは割り当てられる。もし通信事業者が１以上の事業体のグループ、連合体または代表者を称する場合、任意のグループ、連合体または代表者の名称または固有識別子は、当該グループまたは連合体に所属した全ての事業体、または当該代表者と協力する全ての事業体が共有する名称または固有識別子でもある。
【００７８】
本開示においてＡＫＡは、認証及びキー合意（authentication and key agreement）を示すことができ、３ＧＰＰ網及び３ＧＰＰ２網に接続するための認証アルゴリズムを示すことができる。
【００７９】
本明細書においてＫ（または、Ｋ値）は、ＡＫＡ認証アルゴリズムに使用されるｅＵＩＣＣに保存される暗号キー値である。
【００８０】
本開示においてＯＰｃは、ＡＫＡ認証アルゴリズムに使用されるｅＵＩＣＣに保存されうるパラメータ値である。
【００８１】
本明細書においてＮＡＡは、ネットワーク接続アプリケーション（network access application）であり、ＵＩＣＣに保存され、網に接続するためのＵＳＩＭまたはＩＳＩＭのようなアプリケーションでもある。ＮＡＡは、網接続モジュールでもある。
【００８２】
そして、本開示の説明において、関連公知の機能または構成に係わる具体的な説明が、本開示の要旨を必要以上に不明確にすると判断された場合、その詳細な説明は、省略する。
【００８３】
以下では、プロファイルを遠隔で管理することができる通信事業者のリストを生成して管理する方法及びその装置、通信システムにおいて、端末に通信サービスをダウンロード及びインストールして通信連結を行うための方法、その装置及びその通信システムにおいて、オンラインでプロファイルをダウンロードしてインストールして管理する方法及びその装置に係わる多様な実施形態について説明する。
【００８４】
図１は、本開示の一部実施形態による、端末に固定されたプロファイルが搭載されたＵＩＣＣを利用した端末の移動通信ネットワーク連結方法を図示する図面である。
【００８５】
図１で図示されているように、ＵＩＣＣ １２０は、端末１１０にも挿入される。例えば、ＵＩＣＣ １２０は、脱着型でもあり、端末１１０に事前に内蔵されたものでもある。
【００８６】
固定されたプロファイルが搭載されたＵＩＣＣの固定されたプロファイルは、特定通信社に接続することができる「接続情報」が固定されていることを意味する。例えば、該接続情報は、加入者区分子であるＩＭＳＩ、及び加入者区分子と共に、網認証に必要なＫまたはＫｉ値でもある。
【００８７】
端末１１０は、ＵＩＣＣ １２０を利用し、移動通信社の認証処理システム（例えば、ＨＬＲ（home location register）やＡｕＣ（authentication center））と認証を行うことができる。例えば、該認証過程は、ＡＫＡ過程でもある。端末１１０は、認証に成功すれば、移動通信システムの移動通信ネットワーク１３０を利用し、電話やモバイルデータの利用のような移動通信サービスを利用することができる。
【００８８】
図２は、本開示の一部実施形態による、端末２５０内に、いかなるプロファイルも活性化状態にないとき、通信事業者が、プロファイルサーバを介し、端末内プロファイルを遠隔管理する手続きの例を図示する図面である。
【００８９】
図２において端末２５０は、ｅＳＩＭが装着された端末でもある。また、端末２５０には、１以上のプロファイルがインストールされてもいる。また、図２を参照すれば、図２は、第１プロファイル２５２、第２プロファイル２５４、第３プロファイル２５６が端末２５０にインストールされており、少なくとも１つのプロファイルが活性化状態にない場合を図示する。
【００９０】
図２において通信事業者２６０，２６２は、１以上のプロファイルを所有する（own）ことができ、自身が所有しているプロファイルが活性化状態であるとき、当該プロファイルを介し、端末２５０に通信サービスを提供することができる。例えば、図２において第１通信事業者２６０は、第１プロファイル２５２と第２プロファイル２５４とを、第２通信事業者２６２は、第３プロファイル２５６を所有することができる。そのようなプロファイル保有者（profile owner）情報は、プロファイル内部またはプロファイル要約情報（profile metadata）内に保存されており、当該通信事業者の名称や固有識別子（ＯＩＤ）によっても表現される。本開示の図面においては、便宜上、文字列で表記した名称（Ｏｐ．１またはＯｐ．２）により、プロファイル保有者が表現される場合を図示しているが、数字列によって表現された固有識別子（ＯＩＤ、例えば、「１．１０．４２．２１３．３」など）によっても表現されるということに留意しなければならない。さらには、プロファイルには、当該プロファイル保有者により、プロファイルが内在的に非活性化されうる許容回数を示す内在的非活性化カウンタがプロファイル保有者情報と共にも併記される。内在的非活性化及び許容回数については、図５を介してさらに詳細に説明する。また、本開示の図面においては、各プロファイルに、プロファイル保有者が一人だけ図示されているが、各プロファイルには、プロファイル保有者が１以上定義されうるということに留意しなければならない。もしプロファイル保有者が複数に指定された場合、各プロファイル保有者の許容回数も、複数に指定されうるということは、言うまでもない。
【００９１】
図２においてプロファイルサーバ２７０，２７２は、通信事業者２６０，２６２の要請を受け、プロファイル遠隔管理命令を生成し、それを端末２５０に伝達することができる。このとき、該プロファイルサーバは、特定通信事業者と排他的にも連結される。例えば、本図面において、第１通信事業者２６０は、第１プロファイルサーバ２７０とも連結されており、第２通信事業者２６２は、第２プロファイルサーバ２７２とも連結されている。
【００９２】
図２を参照すれば、２０１動作において、第１通信事業者２６０は、自身が所有している第２プロファイル２５４の遠隔管理を、第１プロファイルサーバ２７０に要請することができる。例えば、２０１動作は、端末２５０内において、現在非活性化状態である第２プロファイル２５４の活性化を要請する動作でもある。一部実施形態によれば、２０１動作は、「遠隔管理注文（ＲＰＭ order）」メッセージを利用することができる。
【００９３】
２０３動作において、第１プロファイルサーバ２７０は、まず第１通信事業者２６０が、第２プロファイル２５４のプロファイル保有者であるか否かということを確認することができる。そのために、第１プロファイルサーバ２７０は、第１通信事業者２６０の識別子（ＯＩＤ）と、第１通信事業者２６０が所有している全てのプロファイルの情報と、を管理することができ、プロファイルのプロファイル保有者を識別、判断することができる。第１通信事業者２６０が、第２プロファイル２５４の保有者であると判断されれば、第１プロファイルサーバ２７０は、第２プロファイル２５４に対する遠隔管理命令を生成し、端末２５０に伝送することができる。例えば、遠隔管理命令は、第２プロファイル２５４を活性化させる命令でもある。一部実施形態によれば、２０３動作は、「認証開始（initiate authentication）」メッセージまたは「端末認証（authenticate client）」メッセージを少なくとも１以上利用することができる。
【００９４】
前述のように、任意の通信事業者が任意のプロファイルのプロファイル保有者であるか否かということを判断する動作を、プロファイル保有者判断（profile owner check）と命名することができる。プロファイル保有者判断は、必ずしもプロファイルサーバが行う必要はなく（例えば、前記２０３動作において）、当該動作は、端末２５０により、（例えば、下記２０５動作において）代わりにまたは併行しても遂行される。本開示の実施形態においては、プロファイル保有者判断をプロファイルサーバが行うと説明しているが、それは、それに相応する端末の動作で代替されたり、それと併行されたりもするということに留意しなければならない。端末が遂行するプロファイル保有者判断については、図３Ａないし図３Ｃの３０５動作または３１１動作を介して詳細に説明する。また、任意のプロファイルのプロファイル保有者が１以上設定された場合、プロファイル保有者判断は、任意の通信事業者が、当該プロファイルのプロファイル保有者リストに含まれているか否かということを判断する動作でもある。
【００９５】
２０５動作において、端末２５０は、第２プロファイル２５４を活性化させ、第１通信事業者を介し、通信サービスを受けることができる。図２のように、端末２５０内において、いかなるプロファイルも活性化状態にない場合、端末は、２０５動作において、第２プロファイル２５４を即座に活性化させることができる。
【００９６】
２０７動作において、第２通信事業者２６２は、自体が所有している第３プロファイル２５６の遠隔管理を、第２プロファイルサーバ２７２に要請することができる。例えば、２０７動作は、端末２５０内において、現在非活性化状態である第３プロファイル２５６の活性化を要請する動作でもある。一部実施形態によれば、２０７動作は、「遠隔管理注文（ＲＰＭ order）」メッセージを利用することができる。
【００９７】
２０９動作において、第２プロファイルサーバ２７２は、まず第２通信事業者２６２が、第３プロファイル２５６のプロファイル保有者であるか否かということを確認することができる。第２プロファイルサーバ２７２は、第２通信事業者２６２の識別子（ＯＩＤ）と、第２通信事業者２６２が所有している全てのプロファイルの情報と、を管理することができ、プロファイル保有者を識別、判断することができる。第２通信事業者２６２が、第３プロファイル２５６の保有者であると判断されれば、第２プロファイルサーバ２７２は、第３プロファイル２５６に対する遠隔管理命令を生成し、端末２５０に伝送することができる。例えば、前記遠隔管理命令は、第３プロファイル２５６を活性化させる命令でもある。一部実施形態によれば、２０９動作は、「認証開始（initiate authentication）」メッセージまたは「端末認証（authenticate client）」メッセージを少なくとも１以上利用することができる。
【００９８】
２１１動作において、端末２５０は、第３プロファイル２５６を活性化させ、第２通信事業者を介し、通信サービスを受けることができる。図２のように、端末２５０内において、いかなるプロファイルも活性化状態にない場合、端末は、２１１動作において、第２プロファイル２５４を即座に活性化させることができる。
【００９９】
２０３動作または２０９動作において、プロファイルサーバ２７０，２７２は、特定プロファイルの遠隔管理を要請した通信事業者２６０，２６２が、当該プロファイルに対する遠隔管理権限があるか否かということを判断する。もし遠隔管理に係わる権限がない通信事業者がプロファイル遠隔管理を要請する場合、プロファイルサーバは、当該要請を拒絶することができる。例えば、２１３動作のように、第２通信事業者２６２が所有している第３プロファイル２５６に対する遠隔管理を、第１通信事業者２６０が、第１プロファイルサーバ２７０に要請する場合、第１プロファイルサーバ２７０は、第１通信事業者２６０の要請を拒絶することができる。また、プロファイル保有者判断を端末２５０が行う場合、当該遠隔管理に対する拒絶は、端末２５０においても行われる（図示せず）ということは、言うまでもない。
【０１００】
図３Ａ、図３Ｂ及び図３Ｃは、本開示の一部実施形態による、端末２５０内において、第１プロファイル２５２が活性化状態であるとき、通信事業者２６０，２６２がプロファイルサーバ２７０，２７２を介し、端末２５０内において、第２プロファイル２５４または第３プロファイル２５６を遠隔管理し、通信事業者を変更する手続きの一例を図示する図面である。
【０１０１】
図３Ｂと図３Ｃは、第１プロファイル２５２、第２プロファイル２５４、第３プロファイル２５６が端末２５０にインストールされており、そのうち、第１プロファイル２５２が活性化状態にある場合を図示する。図３Ａは、図３Ｂ及び図３Ｃを１枚の図面に図示したものである。各プロファイルと、当該プロファイルを所有している通信事業者との設定は、図２の説明を参照する。
【０１０２】
図３Ｂを参照すれば、３０１動作において、第１通信事業者２６０は、自体が所有している第２プロファイル２５４の遠隔管理を、第１プロファイルサーバ２７０に要請することができる。例えば、３０１動作は、端末２５０内において、現在非活性化状態である第２プロファイル２５４の活性化を要請する動作でもある。一部実施形態によれば、３０１動作は、「遠隔管理注文（ＲＰＭ order）」メッセージを利用することができる。
【０１０３】
３０３動作において、第１プロファイルサーバ２７０は、まず第１通信事業者２６０が、第２プロファイル２５４のプロファイル保有者であるか否かということを確認することができる。第１プロファイルサーバ２７０は、第１通信事業者２６０の識別子（ＯＩＤ）と、第１通信事業者２６０が所有している全てのプロファイルの情報と、を管理することができ、プロファイルのプロファイル保有者を識別、判断することができる。第１通信事業者２６０が、第２プロファイル２５４の保有者であると判断されれば、第１プロファイルサーバ２７０は、第２プロファイル２５４に対する遠隔管理命令を生成し、端末２５０に伝送することができる。例えば、前記遠隔管理命令は、第２プロファイル２５４を活性化させる命令でもある。一部実施形態によれば、３０３動作は、「認証開始（initiate authentication）」メッセージまたは「端末認証（authenticate client）」メッセージを少なくとも１以上利用することができる。
【０１０４】
３０５動作において、端末２５０は、第２プロファイル２５４の活性化を試みることができる。端末２５０内において、いかなるプロファイルも活性化状態にはなく、第２プロファイル２５４を即座に活性化させることができる図２の２０５動作と異なり、端末２５０内において、第１プロファイル２５２が活性化状態にある場合、３０５動作において、端末２５０は、現在活性化された第１プロファイル２５２の少なくとも１人のプロファイル保有者と、活性化対象である第２プロファイル２５４の少なくとも１人のプロファイル保有者とが少なくとも１以上同じであるか否かということを比較（確認）することができる。図３Ｂは、第１プロファイル２５２のプロファイル保有者と、第２プロファイル２５４のプロファイル保有者とが第１通信事業者２６０と同一である場合を図示するので、端末２５０は、第１プロファイル２５２を非活性化させた直後、第２プロファイル２５４を即座に活性化させ、第１通信事業者を介し、通信サービスを受けることができる。そのように、第１プロファイル２５２に対する別途の非活性化遠隔管理命令なしに、同一プロファイル保有者の第２プロファイル２５４に対する活性化遠隔管理命令により、第１プロファイル２５２が非活性化される場合、第１プロファイル２５２の非活性化を「内在的非活性化」で命名することができる。
【０１０５】
図３Ｃを参照すれば、３０７動作において、第２通信事業者２６２は、自体が所有している第３プロファイル２５６の遠隔管理を、第２プロファイルサーバ２７２に要請することができる。例えば、３０７動作は、端末２５０内において、現在非活性化状態である第３プロファイル２５６の活性化を要請する動作でもある。一部実施形態によれば、３０７動作は、「遠隔管理注文（ＲＰＭ order）」メッセージを利用することができる。
【０１０６】
３０９動作において、第２プロファイルサーバ２７２は、まず第２通信事業者２６２が、第３プロファイル２５６のプロファイル保有者であるか否かということを確認することができる。第２プロファイルサーバ２７２は、第２通信事業者２６２の識別子（ＯＩＤ）と、第２通信事業者２６２が所有している全てのプロファイルの情報と、を管理することができ、プロファイルのプロファイル保有者を識別、判断することができる。第２通信事業者２６２が、第３プロファイル２５６の保有者であると判断されれば、第２プロファイルサーバ２７２は、第３プロファイル２５６に対する遠隔管理命令を生成し、端末２５０に伝送することができる。例えば、前記遠隔管理命令は、第３プロファイル２５６を活性化させる命令でもある。一部実施形態によれば、３０９動作は、「認証開始（initiate authentication）」メッセージまたは「端末認証（authenticate client）」メッセージを少なくとも１以上利用することができる。
【０１０７】
３１１動作において、端末２５０は、第３プロファイル２５６の活性化を試みることができる。端末のいかなるプロファイルも活性化状態にはなく、第３プロファイル２５６を即座に活性化させることができる図２の２１１動作と異なり、端末２５０内において、第１プロファイル２５２が活性化状態にある場合、３１１動作において、端末２５０は、現在活性化された第１プロファイル２５２の少なくとも１人のプロファイル保有者、と活性化対象である第３プロファイル２５６の少なくとも１人のプロファイル保有者とが同じであるか否かということを比較することができる。図３Ｃは、第１プロファイル２５２のプロファイル保有者は、第１通信事業者２６０であるということに反し、第３プロファイル２５６のプロファイル保有者は、第２通信事業者２６２と、互いに異なる場合を図示し、端末２５０は、第３プロファイル２５６の活性化を拒否し、第１プロファイル２５２の活性化状態を維持し、第１通信事業者を介し、通信サービスを受けることができる。
【０１０８】
図３Ａ、図３Ｂ及び図３Ｃを参照すれば、３０５動作または３１１動作のように、遠隔管理命令を介し、任意のプロファイルを活性化させるとき、端末は、遠隔管理命令によって活性化される目標プロファイル（target profile）の少なくとも１人のプロファイル保有者が、現在活性化されたプロファイルの少なくとも１人のプロファイル保有者と同じであるか否かということを比較することができる。そのような動作も（図２の２０３動作のように）、プロファイル保有者確認（profile owner check）と命名することができる。端末２５０及び各プロファイル２５２，２５４，２５６の設定に係わる説明は、図３Ａないし図３Ｃを参照する。
【０１０９】
図４は、本開示の一部実施形態による、端末２５０内において、第１プロファイル２５２が活性化状態であるとき、通信事業者２６０，２６２が、プロファイルサーバ２７０，２７２を介し、端末２５０内プロファイル２５４，２５６を遠隔管理し、通信事業者を変更する手続きの他の例を図示する図面である。端末２５０及び各プロファイル２５２，２５４，２５６の設定に係わる説明は、図３を参照する。
【０１１０】
図４を参照すれば、４０１動作において、第１通信事業者２６０は、自体が所有している第１プロファイル２５２の遠隔管理を、第１プロファイルサーバ２７０に要請することができる。例えば、４０１動作は、端末２５０内において、現在活性化状態である第１プロファイル２５２の非活性化を要請する動作でもある。一部実施形態によれば、４０１動作は、「遠隔管理注文（ＲＰＭ order）」メッセージを利用することができる。
【０１１１】
４０３動作において、第１プロファイルサーバ２７０は、まず第１通信事業者２６０が、第１プロファイル２５２のプロファイル保有者であるか否かということを確認することができる。第１プロファイルサーバ２７０は、第１通信事業者２６０の識別子（ＯＩＤ）と、第１通信事業者２６０が所有している全てのプロファイルの情報と、を管理することができ、プロファイルのプロファイル保有者を識別、判断することができる。第１通信事業者２６０が、第１プロファイル２５２の保有者であると判断されれば、第１プロファイルサーバ２７０は、第１プロファイル２５２に対する遠隔管理命令を生成し、端末２５０に伝送することができる。例えば、前記遠隔管理命令は、第１プロファイル２５２を非活性化させる命令でもある。一部実施形態によれば、４０３動作は、「認証開始（initiate authentication）」メッセージまたは「端末認証（authenticate client）」メッセージを少なくとも１以上利用することができる。
【０１１２】
４０５動作において、端末２５０は、活性化状態である第１プロファイル２５２を非活性化させることができる。その後、もし端末２５０に、ネットワーク連結を提供するその他手段（例えば、Ｗｉ−Ｆｉなど）がない場合、端末２５０は、ネットワーク連結を遺失する。
【０１１３】
４０７動作において、第２通信事業者２６２は、自体が所有している第３プロファイル２５６の遠隔管理を、第２プロファイルサーバ２７２に要請することができる。例えば、４０７動作は、端末２５０内において、現在非活性化状態である第３プロファイル２５６の活性化を要請する動作でもある。一部実施形態によれば、４０７動作は、「遠隔管理注文（ＲＰＭ order）」メッセージを利用することができる。
【０１１４】
４０９動作において、第２プロファイルサーバ２７２は、まず第２通信事業者２６２が、第３プロファイル２５６のプロファイル保有者であるか否かということを確認することができる。第２プロファイルサーバ２７２は、第２通信事業者２６２の識別子（ＯＩＤ）と、第２通信事業者２６２が所有している全てのプロファイルの情報と、を管理することができ、プロファイルのプロファイル保有者を識別、判断することができる。第２通信事業者２６２が、第３プロファイル２５６の保有者であると判断されれば、第２プロファイルサーバ２７２は、第３プロファイル２５６に対する遠隔管理命令を生成し、端末２５０に伝送することができる。例えば、前記遠隔管理命令は、第３プロファイル２５６を活性化させる命令でもある。一部実施形態によれば、４０９動作は、「認証開始（initiate authentication）」メッセージまたは「端末認証（authenticate client）」メッセージを少なくとも１以上利用することができる。
【０１１５】
しかし、４０５動作において、端末２５０は、ネットワーク連結を遺失したために、４０９動作において、第２プロファイルサーバ２７２の遠隔管理命令は、端末２５０に伝達されないのである。従って、端末２５０内において、現在活性化されたプロファイルのプロファイル保有者ではない通信事業者は、当該通信事業者が所有しているプロファイルを、遠隔管理命令を介して活性化させ難い短所がある。
【０１１６】
図５は、本開示の一部実施形態による、プロファイルにプロファイル保有者情報以外に、プロファイル副所有者（profile sub−owner）情報を追加して定義し、それを使用する方法の例を図示する図面である。
【０１１７】
図５を参照すれば、端末２５０には、第１通信事業者２６０が所有している第１プロファイル２５２、第２プロファイル２５４、及び第２通信事業者２６２が所有している第３プロファイル２５６がインストールされてもいる。各プロファイル内において、プロファイル保有者情報だけ保存されている図２ないし図４の実施形態と異なり、図５は、各プロファイル内において、プロファイル副所有者情報が追加して記載されている場合を図示する。該プロファイル副所有者は、当該プロファイルを内在的非活性化させることができる他のプロファイルのプロファイル保有者を、少なくとも１以上示すことができる。例えば、第１プロファイル２５２のプロファイル副所有者は、第２通信事業者２６２であるので、第１プロファイル２５２が活性化状態であるとき、第２通信事業者２６２は、自身がプロファイル保有者である第３プロファイル２５６を、遠隔管理命令によって活性化させることができ、第１プロファイル２５２は、内在的非活性化されうる。
【０１１８】
該プロファイル副所有者は、代理プロファイル保有者（delegated profile owner）またはプロファイル代理保有者（profile delegated owner）、二次プロファイル保有者（secondary profile owner）またはプロファイル二次保有者（profile secondary owner）、あるいは許容されたプロファイル保有者（allowed profile owner）または認可されたプロファイル保有者（authorized profile owner）などとも命名される。さらには、プロファイル副所有者情報と共に、当該プロファイル副所有者により、プロファイルが内在的非活性化されうる回数が併記されうる。例えば、第２プロファイル２５４は、プロファイル副所有者が、第２通信事業者２６２であり、最大３回まで内在的非活性化を許容する場合を図示する。また、各プロファイルには、プロファイル副所有者が１以上定義されうることに留意しなければならない。もしプロファイル副所有者が複数指定された場合、各プロファイル副所有者の許容回数も、複数指定されうるということは、言うまでもない。また、図５において、プロファイル副所有者情報は、任意のプロファイル内に記載されるように図示されているが、それは、遠隔管理命令に含まれてもよい。それについては、図６の６０９動作を介して詳細に説明する。さらに具体的には、５０１動作は、第３プロファイル２５６が活性化状態であるとき、第１プロファイル２５２が、遠隔管理命令によって活性化されうるか否かということを判断する手続きを図示する。５０１動作において、端末２５０は、優先的に、第３プロファイル２５６の少なくとも１人のプロファイル保有者と、第１プロファイル２５２の少なくとも１人のプロファイル保有者とが同じであるか否かということを比較することができる。２つのプロファイルのプロファイル保有者が異なるので、端末２５０は、副次的に、第３プロファイル２５６のプロファイル副所有者と、第１プロファイル２５２のプロファイル保有者とが少なくとも１以上同じであるか否かということを比較することができる。第３プロファイル２５６は、プロファイル副所有者が定義されていないので、結論として、第３プロファイル２５６が活性化状態にあるとき、第１プロファイル２５２は、遠隔管理命令によって活性化されるものではない。
【０１１９】
５０３動作は、第３プロファイル２５６が活性化状態であるとき、第２プロファイル２５４が、遠隔管理命令によって活性化されうるか否かということを判断する手続きを図示する。５０３動作において、端末２５０は、優先的に、第３プロファイル２５６の少なくとも１人のプロファイル保有者と、第２プロファイル２５４の少なくとも１人のプロファイル保有者とが同じであるか否かということを比較することができる。２つのプロファイルのプロファイル保有者が異なるので、端末２５０は、副次的に、第３プロファイル２５６のプロファイル副所有者と、第２プロファイル２５４のプロファイル保有者とが少なくとも１以上同じであるか否かということを比較することができる。第３プロファイル２５６は、プロファイル副所有者が定義されていないので、結論として、第３プロファイル２５６が活性化状態にあるとき、第２プロファイル２５４は、遠隔管理命令によって活性化されるものではない。
【０１２０】
一方、５０３動作は、端末内において、ただ１つのプロファイルだけ活性化状態にある場合を仮定する。もし端末内において、２以上のプロファイルが活性化状態にある場合、プロファイル保有者またはプロファイル副所有者の確認は、端末内において、それ以上プロファイルが活性化されない場合に遂行されうる。例えば、端末２５０に、２つのプロファイルが活性化状態にあり、第１プロファイル２５２が活性化されているとき、第２プロファイル２５４に対する活性化遠隔管理命令を受信する場合、端末２５０は、プロファイル保有者またはプロファイル副所有者を確認せず、即座に第２プロファイル２５４を活性化させることができる。また、他の例として、端末２５０に２つのプロファイルが活性化状態にあり、第１プロファイル２５２及び第２プロファイル２５４が活性化されているとき、第３プロファイル２５６に対する活性化遠隔管理命令を受信する場合、端末２５０は、第１プロファイル２５２と第３プロファイル２５６とのプロファイル保有者またはプロファイル副所有者をまず確認し、第３プロファイル２５６を活性化させることができない場合、第２プロファイル２５４と第３プロファイル２５６とのプロファイル保有者またはプロファイル副所有者を確認し、第３プロファイルを依然として活性化させることができない場合、最終的に、第３プロファイル２５６を、遠隔管理命令によって活性化させることができないと判断することができる。そのようであり、端末に１以上のプロファイルが活性化状態にある場合に係わる詳細な説明は、図７Ｂを参照する。
【０１２１】
５０５動作は、第１プロファイル２５２が活性化状態であるとき、第３プロファイル２５６が、遠隔管理命令によって活性化されうるか否かということを判断する手続きを図示する。５０５動作において、端末２５０は、優先的に、第１プロファイル２５２の少なくとも１人のプロファイル保有者と、第３プロファイル２５６の少なくとも１人のプロファイル保有者とが同じであるか否かということを比較することができる。２つのプロファイルのプロファイル保有者が異なるので、端末２５０は、副次的に、第１プロファイル２５２のプロファイル副所有者と、第３プロファイル２５６のプロファイル保有者とが少なくとも１以上同じであるか否かということを比較することができる。第１プロファイル２５２のプロファイル副所有者と、第３プロファイル２５６のプロファイル保有者は、第２通信事業者２６２であるので、結論として、第１プロファイル２５２が活性化状態にあるとき、第３プロファイル２５６は、遠隔管理命令によって活性化され、第１プロファイル２５２は、内在的非活性化されうる。また、第１プロファイル２５２のプロファイル副所有者は、内在的非活性化の許容回数に制限がないので、５０５動作は、制約なしに何回も反復されうる。
【０１２２】
５０７動作は、第２プロファイル２５４が活性化状態であるとき、第３プロファイル２５６が、遠隔管理命令によって活性化されうるか否かということを判断する手続きを図示する。５０７動作において、端末２５０は、優先的に、第２プロファイル２５４の少なくとも１人のプロファイル保有者と、第３プロファイル２５６の少なくとも１人のプロファイル保有者とが同じであるか否かということを比較することができる。２つのプロファイルのプロファイル保有者が異なるので、端末２５０は、副次的に、第２プロファイル２５４のプロファイル副所有者と、第３プロファイル２５６のプロファイル保有者とが少なくとも１以上同じであるか否かということを比較することができる。第２プロファイル２５４のプロファイル副所有者と、第３プロファイル２５６のプロファイル保有者は、第２通信事業者２６２であるので、結論として、第２プロファイル２５４が活性化状態にあるとき、第３プロファイル２５６は、遠隔管理命令によって活性化され、第２プロファイル２５４は、内在的非活性化されうる。また、第２プロファイル２５４のプロファイル副所有者は、内在的非活性化の許容回数が３回に制限されているので、５０７動作は、最大３回まで許容される。そのために、端末２５０は、５０７動作が遂行されるたびに、第２プロファイル２５４の内在的非活性化許容回数を１ずつ差し引き、５０７動作が３回反復された後、端末２５０は、第２プロファイル２５４のプロファイル副所有者情報を削除し、さらなる許容を防止することができる。また、図面には、説明の便宜上、プロファイルサーバが図示されていないが、通信事業者は、１以上のプロファイルサーバを介し、第１プロファイル２５２、第２プロファイル２５４、第３プロファイル２５６のプロファイル保有者情報またはプロファイル副所有者情報を設定したり更新したりすることができ、各プロファイルのプロファイル保有者情報またはプロファイル副所有者情報は、必ずしもプロファイル内にだけ保存されるのではなく、１以上のプロファイルサーバにも保存できる。
【０１２３】
図６は、本開示の一部実施形態による、端末２５０内において、第１プロファイル２５２が活性化状態であるとき、通信事業者が、プロファイルサーバを介し、端末内プロファイルを遠隔管理し、通信事業者を変更する手続きの他の例を図示する図面である。
【０１２４】
図６を参照すれば、端末２５０には、第１通信事業者２６０が所有している第１プロファイル２５２と、第２通信事業者２６２が所有している第３プロファイル２５６とがインストールされてもいる。また、プロファイル副所有者情報は、各プロファイル内に保存される場合を仮定する。また、第１プロファイル２５２のプロファイル副所有者は、第２通信事業者２６２であり、内在的非活性化の許容回数がなく、第３プロファイル２５６のプロファイル副所有者がない場合を仮定する。また、図面には、便宜上、第１プロファイルサーバ２７０と第２プロファイルサーバ２７２とが互いに異なるサーバであるように図示されているが、それに制限されるものではなく、第１プロファイルサーバ２７０と第２プロファイルサーバ２７２は、１つのサーバにも具現される。また、本開示の一実施形態によれば、第１プロファイル２５２及び／または第２プロファイル２５４のプロファイル保有者情報またはプロファイル副所有者情報は、各プロファイルだけではなく、プロファイルサーバにも保存される。
【０１２５】
６０１動作において、第１通信事業者２６０は、自身が所有している第１プロファイル２５２の遠隔管理を、第１プロファイルサーバ２７０に要請することができる。例えば、６０１動作は、端末２５０内において、現在活性化状態である第１プロファイル２５２のプロファイル要約情報（profile metadata）において、プロファイル副所有者情報の更新（update）を要請する動作でもある。一部実施形態によれば、６０１動作は、「遠隔管理注文（ＲＰＭ order）」メッセージを利用することができる。
【０１２６】
６０３動作において、第１プロファイルサーバ２７０は、まず第１通信事業者２６０が、第１プロファイル２５２のプロファイル保有者であるか否かということを確認することができる。そのために、第１プロファイルサーバ２７０は、第１通信事業者２６０の識別子（ＯＩＤ）と、第１通信事業者２６０が所有している全てのプロファイルの情報と、を管理することができ、プロファイルのプロファイル保有者を識別、判断することができる。第１通信事業者２６０が、第１プロファイル２５２の保有者であると判断されれば、第１プロファイルサーバ２７０は、第１プロファイル２５２に対する遠隔管理命令を生成し、端末２５０に伝送することができる。例えば、前記遠隔管理命令は、第１プロファイル２５２のプロファイル要約情報（profile metadata）を更新する命令でもある。一部実施形態によれば、６０３動作は、「認証開始（initiate authentication）」メッセージまたは「端末認証（authenticate client）」メッセージを少なくとも１以上利用することができる。
【０１２７】
６０５動作において、端末２５０は、第１プロファイル２５２のプロファイル要約情報（profile metadata）を更新することができる。第１プロファイル２５２のプロファイル副所有者を第２通信事業者２６２に設定することができる。もし第１プロファイル２５２にプロファイル副所有者がすでに設定されている場合、６０１動作ないし６０５動作の遂行は、省略されうる。
【０１２８】
６０７動作において、第２通信事業者２６２は、自体が所有している第３プロファイル２５６の遠隔管理を、第２プロファイルサーバ２７２に要請することができる。例えば、６０７動作は、端末２５０内において、現在非活性化状態である第３プロファイル２５６の活性化を要請する動作でもある。一部実施形態に違えば、６０７動作は、「遠隔管理注文（ＲＰＭ order）」メッセージを利用することができる。
【０１２９】
６０９動作において、第２プロファイルサーバ２７２は、まず第２通信事業者２６２が、第３プロファイル２５６のプロファイル保有者であるか否かということを確認することができる。第２プロファイルサーバ２７２は、第２通信事業者２６２の識別子（ＯＩＤ）と、第２通信事業者２６２が所有している全てのプロファイルの情報と、を管理することができ、プロファイルのプロファイル保有者を判断、識別することができる。第２通信事業者２６２が、第３プロファイル２５６の保有者であると判断されれば、第２プロファイルサーバ２７２は、第３プロファイル２５６に対する遠隔管理命令を生成し、端末２５０に伝送することができる。例えば、前記遠隔管理命令は、第３プロファイル２５６を活性化させる命令でもある。また、前記遠隔管理命令は、第３プロファイル２５６の活性化のために、端末２５０が参照するプロファイル副所有者情報をさらに含んでもよい。例えば、前記遠隔管理命令は、現在端末２５０内において、活性化状態にある第１プロファイル２５２のプロファイル保有者として、第１通信事業者２６０が設定されている場合に限り、第３プロファイル２５６を活性化させながら、第１プロファイル２５２を内在的非活性化させる命令でもある。一部実施形態によれば、６０９動作は、「認証開始（initiate authentication）」メッセージまたは「端末認証（authenticate client）」メッセージを少なくとも１以上利用することができる。
【０１３０】
６１１動作において、端末２５０は、優先的に、第１プロファイル２５２の少なくとも１人のプロファイル保有者と、第３プロファイル２５６の少なくとも１人のプロファイル保有者とが同じであるか否かということを比較することができる。２つのプロファイルのプロファイル保有者が異なるので、端末２５０は、副次的に、第１プロファイル２５２のプロファイル副所有者と、第３プロファイル２５６のプロファイル保有者とが少なくとも１以上同じであるか否かということを比較することができる。第１プロファイル２５２のプロファイル副所有者と、第３プロファイル２５６のプロファイル保有者は、第２通信事業者２６２であるので、結論として、第１プロファイル２５２が活性化状態にあるとき、第３プロファイル２５６は、遠隔管理命令によって活性化され、第１プロファイル２５２は、内在的非活性化されうる。
【０１３１】
図６を参照すれば、６１１動作のように、遠隔管理命令を介し、任意のプロファイルを活性化させるとき、端末は、以下のような比較を、少なくとも１以上行うことができる。
【０１３２】
（Ａ）遠隔管理命令によって活性化される目標プロファイルのプロファイル保有者が、現在活性化されたプロファイルのプロファイル副所有者と少なくとも１以上同じであるか否かということを比較
（Ｂ）遠隔管理命令によって活性化される目標プロファイルのプロファイル副所有者が、現在活性化されたプロファイルのプロファイル保有者と少なくとも１以上同じであるか否かということを比較（確認）
（Ｃ）遠隔管理命令によって活性化される目標プロファイルの少なくとも１つのプロファイル副所有者が、現在活性化されたプロファイルの少なくとも１つのプロファイル副所有者と同じであるか否かということを比較（確認）
そのような動作を、プロファイル副所有者確認（profile sub-owner check）と命名することができる。本開示において、プロファイル副所有者確認は、主に、（Ａ）の意味で使用されているが、（Ｂ）または（Ｃ）のような動作をさらに含んでもよい。また、本開示において、プロファイル保有者確認（profile owner check）は、プロファイル副所有者確認（profile sub-owner check）とも統合され、同一意味としても使用される。
【０１３３】
図７Ａは、本開示の一部実施形態による、端末２５０が遠隔管理命令を受信したとき、目標プロファイルのプロファイル保有者と、現在活性化されたプロファイルのプロファイル副所有者とが少なくとも１以上同じであるか否かということを比較する手続きを示す図面である。
【０１３４】
図７を参照すれば、７０１動作において、端末２５０は、動作を開始することができる。
【０１３５】
７０３動作において、端末２５０は、遠隔管理命令を受信することができる。
【０１３６】
７０５動作において、端末２５０は、受信した遠隔管理命令の種類を判断することができる。
【０１３７】
７０７動作において、端末２５０は、遠隔管理命令の遂行のために、プロファイル保有者判断（profile owner check）が必要であるか否かということを確認することができる。もしプロファイル保有者判断（profile owner check）が必要ではない場合（例えば、遠隔管理命令がプロファイルの非活性化、削除、更新などである場合、または図２のように、現在活性化されたプロファイルがないとき、特定プロファイルを活性化させる場合）、端末２５０は、７２１動作を遂行することができる。もしプロファイル保有者判断（profile owner check）が必要である場合（例えば、図３Ｂないし図４のように、現在活性化されたプロファイルがあるとき、他のプロファイルを活性化させる場合）、端末２５０は、７０９動作を遂行することができる。
【０１３８】
７０９動作において、端末２５０は、プロファイル保有者を判断することができる。端末２５０は、現在活性化されたプロファイルのプロファイル保有者と、遠隔管理命令によって活性化される目標プロファイルのプロファイル保有者とが少なくとも１以上同じであるか否かということを比較することができる。もし２つのプロファイルの少なくとも１人のプロファイル保有者が同じである場合、端末２５０は、７２１動作を遂行することができる。もし２つのプロファイルのプロファイル保有者が異なる場合、端末２５０は、７１１動作を遂行することができる。
【０１３９】
７１１動作において、端末２５０は、プロファイル副所有者を判断することができる。端末２５０は、現在活性化されたプロファイルのプロファイル副所有者と、遠隔管理命令によって活性化される目標プロファイルのプロファイル保有者とが少なくとも１以上同じであるか否かということを比較することができる。もし現在活性化されたプロファイルのプロファイル副所有者と、遠隔管理命令によって活性化される目標プロファイルのプロファイル保有者とが異なる場合、端末２５０は、７２３動作を遂行することができる。もし現在活性化されたプロファイルのプロファイル副所有者と、遠隔管理命令によって活性化される目標プロファイルのプロファイル保有者とが少なくとも１以上同じである場合、端末２５０は、７１３動作を遂行することができる。
【０１４０】
図７Ａにおいては、７０９動作と７１１動作とが別途に図示されているが、７０９動作と７１１動作は、１つの動作でもっても遂行される。
【０１４１】
７１３動作において、端末２５０は、現在活性化されたプロファイルのプロファイル副所有者に対し、内在的非活性化の許容回数が設定または存在するか否かということを確認することができる。もし許容回数がない場合、端末２５０は、７２１動作を遂行することができる。もし許容回数がある場合、端末２５０は、７１５動作を遂行することができる。
【０１４２】
７１５動作において、端末２５０は、現在活性化されたプロファイルの内在的非活性化許容回数を１回差し引くことができる。
【０１４３】
７１７動作において、端末２５０は、現在活性化されたプロファイルの内在的非活性化許容回数が０であるか否かということを確認することができる。もし許容回数が０より多い場合、端末２５０は、７２１動作を遂行することができる。もし許容回数が０である場合、端末２５０は、７１９動作を遂行することができる。
【０１４４】
７１９動作において、端末２５０は、現在活性化されたプロファイルのプロファイル副所有者と、内在的非活性化許容回数との情報を削除することができる。
【０１４５】
７２１動作において、端末２５０は、遠隔管理命令を遂行することができる。遠隔管理命令が、プロファイルを非活性化、削除、更新する場合、端末２５０は、当該目標プロファイルを非活性化させるか、削除するか、あるいは更新することができる。他の例として、遠隔管理命令が、現在活性化されたプロファイルがないとき、特定プロファイルを活性化させる場合、端末２５０は、当該目標プロファイルを活性化させることができる。また、他の例として、遠隔管理命令が、現在活性化されたプロファイルがあるとき、他のプロファイルを活性化させる場合、端末２５０は、現在活性化されたプロファイルをまず非活性化させた直後、目標プロファイルを活性化させることができる。また、端末２５０は、遠隔管理命令の遂行結果として、遂行成功を示すメッセージを生成することができる。遂行成功を示すメッセージは、例えば、遠隔管理遂行結果（load ＲＰＭ package result）メッセージを利用することができる。
【０１４６】
７２３動作において、端末２５０は、遠隔管理命令を拒否することができる。端末２５０は、プロファイル保有者情報不一致（profile owner mismatch）、プロファイル副所有者情報不一致（profile sub-owner mismatch）、またはその他遠隔管理命令を遂行することができない多様な原因を表現するエラーコードを生成することができる。一部実施形態によれば、該エラーコードは、文字列にも表現され、またはそれに対応する数字列にも表現される。また、端末２５０は、遠隔管理命令の遂行結果として、遂行失敗を示すメッセージを生成し、前記エラーコードを含め、必要な場合、遂行失敗を示すメッセージの一部または全体を、デジタル署名（digital signature）することができる。遂行失敗を示すメッセージは、例えば、遠隔管理遂行結果（load ＲＰＭ package result）メッセージを利用することができる。
【０１４７】
７２５動作において、端末２５０は、動作を終了し、その後、さらなる遠隔管理命令の受信を待機することができる。
【０１４８】
本開示の多様な実施形態よれば、通信システムにおいて端末は、インストールされたプロファイルのプロファイル保有者及び／またはプロファイル副所有者情報を活用して遠隔管理命令を処理し、ネットワーク連結の遺失なしに通信事業者を変更することができる。また、本開示の多様な実施形態よれば、通信システムにおいてプロファイルサーバは、端末にインストールされたプロファイルのプロファイル副所有者情報を制御し、プロファイル遠隔管理遂行権限を設定し、端末の通信事業者変更を支援することができる。
【０１４９】
図７Ｂは、本開示の一部実施形態による、端末２５０が２以上のプロファイルを活性化させることができ、遠隔管理命令を受信したとき、目標プロファイルのプロファイル保有者と、現在活性化されたプロファイルのプロファイル副所有者とが少なくとも１以上同じであるか否かということを比較する手続きを示す図面である。
【０１５０】
図７Ｂを参照すれば、７００１動作において、端末２５０は、動作を開始することができる。
【０１５１】
７００３動作において、端末２５０は、遠隔管理命令を受信することができる。
【０１５２】
７００５動作において、端末２５０は、受信した遠隔管理命令の種類を判断することができる。
【０１５３】
７００７動作において、端末２５０は、遠隔管理命令の遂行のために、プロファイル保有者判断（profile owner check）が必要であるか否かということを確認することができる。もしプロファイル保有者判断（profile owner check）が必要ではない場合（例えば、遠隔管理命令がプロファイルの非活性化、削除、更新などである場合、または図２のように、現在活性化されたプロファイルがないとき、特定プロファイルを活性化させる場合、または端末が活性化させることができるプロファイルの所定個数（例えば、端末が活性化させることができる最大個数または設定された個数）より少ないプロファイルが現在活性化されており、追加プロファイルを活性化させることができるとき、特定プロファイルを活性化させる場合）、端末２５０は、７０２５動作を遂行することができる。もしプロファイル保有者判断（profile owner check）が必要である場合（例えば、図３Ｂないし図４のように、現在活性化されたプロファイルがあるとき、他のプロファイルを活性化させる場合）、端末２５０は、７００９動作を遂行することができる。
【０１５４】
７００９動作において、端末２５０は、現在活性化された２以上のプロファイルのうち一つを選択することができる。端末２５０が現在活性化された２以上のプロファイルのうち一つを選択する優先順位は、以下の方式にもよるが、下記例示に制限されるものではない。
【０１５５】
・目標プロファイルのプロファイル保有者が所有しているプロファイルを優先的に選択（higher priority）
・目標プロファイルのプロファイル副所有者が所有しているプロファイルを優先的に選択（higher priority）
・最も最初にインストールされたプロファイルを優先的に選択（higher priority）
・目標プロファイルが支援する無線接続技術（radio access technology）と同一無線接続技術を支援するプロファイルを優先的に選択（higher priority）
・まだ選択されていないプロファイルを優先的に選択（higher priority）
・ランダム順序でプロファイルを選択
７０１１動作において、端末２５０は、プロファイル保有者を判断することができる。さらに具体的には、端末２５０は、現在活性化されたプロファイルのうち、７００９動作において選択したプロファイルの少なくとも１人のプロファイル保有者と、遠隔管理命令によって活性化される目標プロファイルの少なくとも１人のプロファイル保有者とが同じであるか否かということを比較することができる。もし２つのプロファイルの少なくとも１人のプロファイル保有者が同じである場合、端末２５０は、７０２５動作を遂行することができる。もし２つのプロファイルのプロファイル保有者が異なる場合、端末２５０は、７０１３動作を遂行することができる。
【０１５６】
７０１３動作において、端末２５０は、プロファイル副所有者を判断することができる。端末２５０は、現在活性化されたプロファイルのうち、７００９動作において選択したプロファイルのプロファイル副所有者と、遠隔管理命令によって活性化される目標プロファイルのプロファイル保有者とが少なくとも１以上同じであるか否かということを比較することができる。もし現在活性化されたプロファイルのプロファイル副所有者と、遠隔管理命令によって活性化される目標プロファイルのプロファイル保有者とが異なる場合、端末２５０は、７０１５動作を遂行することができる。もし現在活性化されたプロファイルのプロファイル副所有者と、遠隔管理命令によって活性化される目標プロファイルのプロファイル保有者とが少なくとも１以上同じである場合、端末２５０は、７０１７動作を遂行することができる。
【０１５７】
また、本開示の一実施形態によれば、図７Ｂにおいては、７０１１動作と７０１３動作とが別途に図示されているが、７０１１動作と７０１３動作は、１つの動作としても遂行される。
【０１５８】
７０１５動作において、端末２５０は、現在活性化された２以上のプロファイルにおいて、７００９動作を介して他のプロファイルを選択することができるか否かということを確認することができる。もし７０１１動作及び７０１３動作を介して現在活性化された２以上のプロファイルいずれのプロファイル保有者またはプロファイル副所有者を、目標プロファイルのプロファイル保有者とすでに比較した場合、端末２５０は、７０２７動作を遂行することができる。もし７０１１動作及び７０１３動作を介し、現在活性化された２以上のプロファイルにおいて、プロファイル保有者またはプロファイル副所有者を、目標プロファイルのプロファイル保有者とまだ比較していないプロファイルがある場合、端末２５０は、７００９動作を遂行することができる。
【０１５９】
７０１７動作において、端末２５０は、現在活性化されたプロファイルにおいて、７００９動作において選択されたプロファイルのプロファイル副所有者に対し、内在的非活性化の許容回数が設定または存在するか否かということを確認することができる。もし許容回数がない場合、端末２５０は、７０２５動作を遂行することができる。もし許容回数がある場合、端末２５０は、７０１９動作を遂行することができる。
【０１６０】
７０１９動作において、端末２５０は、現在活性化されたプロファイルにおいて、７００９動作において選択されたプロファイルの内在的非活性化許容回数を１回差し引くことができる。
【０１６１】
７０２１動作において、端末２５０は、現在活性化されたプロファイルにおいて、７００９動作において選択されたプロファイルの内在的非活性化許容回数が０であるか否かということを確認することができる。もし許容回数が０より多い場合、端末２５０は、７０２５動作を遂行することができる。もし許容回数が０である場合、端末２５０は、７０２３動作を遂行することができる。
【０１６２】
７０２３動作において、端末２５０は、現在活性化されたプロファイルにおいて、７００９動作において選択されたプロファイルのプロファイル副所有者と、内在的非活性化許容回数との情報を削除することができる。
【０１６３】
７０２５動作において、端末２５０は、遠隔管理命令を遂行することができる。一例として、遠隔管理命令がプロファイルを非活性化、削除、更新する場合、端末２５０は、当該目標プロファイルを非活性化させるか、削除するか、あるいは更新することができる。他の例として、遠隔管理命令が現在活性化されたプロファイルがないか、あるいは他のプロファイルの非活性化なしに、端末２５０に１以上のプロファイルを追加して活性化させることができるとき、特定プロファイルを活性化させる場合、端末２５０は、当該目標プロファイルを活性化させることができる。また、他の例として、遠隔管理命令が、現在活性化されたプロファイルがあるとき、他のプロファイルを活性化させる場合、端末２５０は、現在活性化されたプロファイルにおいて、７００９動作において選択されたプロファイルをまず非活性化させた直後、目標プロファイルを活性化させることができる。また、端末２５０は、遠隔管理命令の遂行結果として、遂行成功を示すメッセージを生成することができる。遂行成功を示すメッセージは、例えば、遠隔管理遂行結果（load ＲＰＭ package result）メッセージを利用することができる。
【０１６４】
７０２７動作において、端末２５０は、遠隔管理命令を拒否することができる。端末２５０は、プロファイル保有者情報不一致（profile owner mismatch）、プロファイル副所有者情報不一致（profile sub-owner mismatch）、またはその他遠隔管理命令を遂行することができない多様な原因を表現するエラーコードを生成することができる。一部実施形態によれば、該エラーコードは、文字列にも表現され、またはそれに対応する数字列にも表現される。また、端末２５０は、遠隔管理命令の遂行結果として、遂行失敗を示すメッセージを生成し、前記エラーコードを含め、必要な場合、遂行失敗を示すメッセージの一部または全体をデジタル署名（digital signature）することができる。遂行失敗を示すメッセージは、例えば、遠隔管理遂行結果（load ＲＰＭ package result）メッセージを利用することができる。
【０１６５】
７０２９動作において、端末２５０は、動作を終了し、その後、さらなる遠隔管理命令の受信を待機することができる。
【０１６６】
本開示の多様な実施形態よれば、通信システムにおいて、２以上のプロファイルを活性化させることができる端末は、インストールされたプロファイルのプロファイル保有者情報及び／またはプロファイル副所有者情報を活用し、複数のプロファイルに対する遠隔管理命令を処理し、ネットワーク連結の遺失なしに通信事業者を変更することができる。また、本開示の多様な実施形態よれば、通信システムにおいてプロファイルサーバは、端末にインストールされたプロファイルのプロファイル副所有者情報を制御し、プロファイル遠隔管理遂行権限を設定し、端末の通信事業者変更を支援することができる。
【０１６７】
図８は、本開示の実施形態による端末の構成を図示する図面である。
【０１６８】
図８を参照すれば、端末は、送受信部８１０、及び少なくとも１以上のプロセッサ８２０を含んでもよい。また、端末は、ＵＩＣＣ ８３０を含んでもよい。例えば、ＵＩＣＣ ８３０は、端末にも挿入され、端末に内蔵されたｅＵＩＣＣでもある。前記少なくとも１以上のプロセッサ８２０は、制御部と命名することもできる。
【０１６９】
ただし、端末の構成は、図８に制限されるものではなく、図８に図示された構成要素よりさらに多くの構成要素を含むか、あるいはさらに少ない構成要素を含んでもよい。一部実施形態によれば、送受信部８１０、少なくとも１つのプロセッサ８２０、及びメモリ（図示せず）は、１つのチップ形態にも具現される。また、ＵＩＣＣ ８３０が内蔵される場合、ＵＩＣＣ ８３０を含み、１つのチップ形態にも具現される。一部実施形態によれば、送受信部８１０は、プロファイルサーバと、本開示の多様な実施形態による信号、情報、データなどを送信及び受信することができる。送受信部８１０は、送信される信号の周波数を上昇変換及び増幅するＲＦ送信機と、受信される信号を低ノイズ増幅し、周波数を下降変換するＲＦ受信機とにもよって構成される。ただし、それは、送受信部８１０の一実施形態であるのみ、送受信部８１０の構成要素がＲＦ送信機及びＲＦ受信機に限定されるものではない。また、送受信部８１０は、無線チャンネルを介して信号を受信し、少なくとも１つのプロセッサ８２０に出力し、少なくとも１つのプロセッサ８２０から出力された信号を無線チャンネルを介して伝送することができる。
【０１７０】
一部実施形態によれば、送受信部８１０は、プロファイルサーバから、少なくとも遠隔管理命令を含むメッセージを受信することができる。また、送受信部８１０は、遠隔管理命令の遂行結果を、プロファイルサーバに回信することができる。
【０１７１】
少なくとも１以上のプロセッサ８２０は、端末を全般的に制御するための構成要素である。プロセッサ８２０は、前述のような本開示の多様な実施形態により、端末の全般的な動作を制御することができる。
【０１７２】
一部実施形態によれば、プロセッサ８２０は、受信した遠隔管理命令の種類を把握し、現在活性化されたプロファイルがあるか否かということを判断し、プロファイル保有者確認（profile owner check）が必要であるか否かということ判断し、プロファイル副所有者確認（profile sub-owner check）が必要であるか否かということ判断し、現在活性化されたプロファイルと、遠隔管理命令によって活性化される目標プロファイルとのプロファイル保有者またはプロファイル副所有者が少なくとも１以上同じであるか否かということを比較し、現在活性化されたプロファイルの内在的非活性化許容回数を調節し、遠隔管理命令遂行結果メッセージ（load ＲＰＭ package result）を生成することができる。
【０１７３】
また、一部実施形態によれば、１以上のプロセッサ８２０は、送受信部８１０を制御し、プロファイルサーバから遠隔管理命令を受信することができ、遠隔管理命令を処理し、遠隔管理命令遂行結果メッセージをプロファイルサーバに送信することができる。
【０１７４】
多様な実施形態によるＵＩＣＣ ８３０は、プロファイルをダウンロードし、プロファイルをインストールすることができる。また、ＵＩＣＣ ８３０は、プロファイルを管理することができる。
【０１７５】
また、一部実施形態によれば、ＵＩＣＣ ８３０は、プロセッサ８２０の制御によって動作することもできる。または、ＵＩＣＣ ８３０は、プロファイルをインストールするためのプロセッサまたはコントローラを含むか、あるいはアプリケーションがインストールされてもいる。アプリケーションの一部または全部は、プロセッサ８２０にインストールされてもいる。
【０１７６】
一方、端末は、メモリ（図示せず）をさらに含んでもよく、端末の動作のための基本プログラム、アプリケーション、設定情報のようなデータを保存することができる。また、該メモリは、フラッシュメモリタイプ（flash memory type）、ハードディスクタイプ（hard disk type）、マルチメディアカードマイクロタイプ（multimedia card micro type）、カードタイプのメモリ（例えば、ＳＤメモリまたはＸＤメモリなど）、磁気メモリ、磁気ディスク、光ディスク、ＲＡＭ（random access memory）、ＳＲＡＭ（static random access memory）、ＲＯＭ（read only memory）、ＰＲＯＭ（programmable read only memory）、ＥＥＰＲＯＭ（electrically erasable programmable read only memory）のうち少なくとも１つの記録媒体を含んでもよい。また、プロセッサ８２０は、メモリに保存された各種のプログラム、コンテンツ、データなどを利用し、多様な動作を遂行することができる。
【０１７７】
図９は、本開示の実施形態によるプロファイルサーバの構成を図示する図面である。
【０１７８】
図９を参照すれば、プロファイルサーバは、送受信部９１０、及び少なくとも１以上のプロセッサ９２０を含んでもよい。ただし、プロファイルサーバの構成は、図９に制限されるものではなく、図９に図示された構成要素よりさらに多くの構成要素を含むか、あるいはさらに少ない構成要素を含んでもよい。一部実施形態によれば、送受信部９１０、少なくとも１つのプロセッサ９２０、及びメモリ（図示せず）は、１つのチップ形態にも具現される。
【０１７９】
一部実施形態によれば、送受信部９１０は、端末または通信事業者と、本開示の多様な実施形態による信号、情報、データなどを送信及び受信することができる。例えば、送受信部９１０は、通信事業者から遠隔管理要請を受信し、端末に遠隔管理命令を送信し、端末から、遠隔管理命令遂行結果を受信することができる。
【０１８０】
送受信部９１０は、送信される信号の周波数を上昇変換及び増幅するＲＦ送信機と、受信される信号を低ノイズ増幅し、周波数を下降変換するＲＦ受信機とによっても構成される。ただし、それは、送受信部９１０の一実施形態にすぎず、送受信部９１０の構成要素が、ＲＦ送信機及びＲＦ受信機に限定されるものではない。また、送受信部９１０は、無線チャンネルを介して信号を受信し、少なくとも１つのプロセッサ９２０に出力し、少なくとも１つのプロセッサ９２０から出力された信号を、無線チャンネルを介して伝送することができる。
【０１８１】
一方、少なくとも１以上のプロセッサ９２０は、プロファイルサーバを全般的に制御するための構成要素である。プロセッサ９２０は、前述のような本開示の多様な実施形態により、プロファイルサーバの全般的な動作を制御することができる。前記少なくとも１以上のプロセッサ９２０は、制御部と命名することができる。
【０１８２】
プロセッサ９２０は、通信事業者から遠隔管理要請を受信し、通信事業者が適するプロファイル保有者であるか否かということを判断し、遠隔管理命令を生成し、端末に遠隔管理命令を送信し、端末から、遠隔管理命令遂行結果を受信するように制御することができる。
【０１８３】
一方、事業者サーバは、メモリ（図示せず）をさらに含んでもよいし、事業者サーバの動作のための基本プログラム、アプリケーション、設定情報のようなデータを保存することができる。また、該メモリは、フラッシュメモリタイプ、ハードディスクタイプ、マルチメディアカードマイクロタイプ、カードタイプのメモリ（例えば、ＳＤメモリまたはＸＤメモリなど）、磁気メモリ、磁気ディスク、光ディスク、ＲＡＭ、ＳＲＡＭ、ＲＯＭ、ＰＲＯＭ、ＥＥＰＲＯＭのうち少なくとも１つの記録媒体を含んでもよい。また、プロセッサ９２０は、メモリに保存された各種のプログラム、コンテンツ、データなどを利用し、多様な動作を遂行することができる。
【０１８４】
前述の本開示の具体的な実施形態において、開示に含まれる構成要素は、提示された具体的な実施形態により、単数または複数に表現された。しかし、単数または複数の表現は、説明の便宜のために提示された状況に適して選択されたものであり、本開示は、単数または複数の構成要素に制限されるものではなく、複数に表現された構成要素であるとしても、単数にも構成されるか、あるいは単数に表現された構成要素であるとしても、複数にも構成される。
【０１８５】
なお、本開示の詳細な説明においては、具体的な実施形態について説明したが、本開示の範囲から外れない限度内において、さまざまな変形が可能であるということは、言うまでもない。従って、本開示の範囲は、説明された実施形態に限って決定されるものではなく、特許請求の範囲だけではなく、その特許請求の範囲と均等なものなどによっても定められるのである。
【０１８６】
本開示の多様な実施形態、及びそこに使用された用語は、本開示に記載された技術を特定の実施形態について限定するものではなく、当該実施形態の多様な変更、均等物、及び／または代替物を含むものであると理解されなければならない。図面の説明と係わり、類似した構成要素については、類似した参照符号が使用されうる。単数の表現は、文脈上明白に異なるように意味しない限り、複数の表現を含んでもよい。本開示において、「ＡまたはＢ」、「Ａ及び／またはＢのうち少なくとも一つ」、「Ａ、ＢまたはＣ」または「Ａ、Ｂ及び／またはＣのうち少なくとも一つ」というような表現は、共に羅列された項目の全ての可能な組み合わせを含むのである。「第１」、「第２」、「最初」または「２番目」というような表現は、当該構成要素を、順序または重要度にかかわらず修飾することができ、１構成要素を他の構成要素と区分するために使用されるのみ、当該構成要素を限定するものではない。ある（例：第１）構成要素が他の（例：第２）構成要素に、「（機能的にまたは通信的に）連結されて」いるか、あるいは「接続されて」いると言及されたときには、前述のある構成要素が、前述の他の構成要素に直接連結されるか、あるいは他の構成要素（例：第３構成要素）を介しても連結される。
【０１８７】
本開示において使用された用語「モジュール」は、ハードウェア、ソフトウェアまたはファームウェアによって構成されたユニットを含み、例えば、ロジック、論理ブロック、部品または回路などの用語と相互互換的にも使用される。モジュールは、一体に構成された部品、あるいは１またはそれ以上の機能を遂行する最小単位、またはその一部にもなる。例えば、モジュールは、ＡＳＩＣ（application specific integrated circuit）によっても構成される。
【０１８８】
本開示の多様な実施形態は、機器（machine）（例：コンピュータ）で読み取り可能な記録媒体（machine-readable storage media）（例：内蔵メモリまたは外蔵メモリに保存された命令語を含むソフトウェア（例：プログラム）によっても具現される。該機器は、記録媒体から保存された命令語を呼び出し、呼び出された命令語によって動作が可能な装置であり、多様な実施形態による端末２５０を含んでもよい。前記命令が、プロセッサ（例：図８のプロセッサ８２０、または図９のプロセッサ９２０）によって実行される場合、プロセッサが、直接、または前記プロセッサの制御下に他の構成要素を利用し、前記命令に該当する機能を遂行することができる。該命令は、コンパイラまたはインタープリタによって生成または実行されるコードを含んでもよい。
【０１８９】
該機器で読み取り可能な記録媒体は、非一時的（non-transitory）記録媒体の形態にも提供される。ここで、「非一時的」は、記録媒体が信号（signal）を含まず、実在する（tangible）ということを意味するのみ、データが記録媒体に半永久的または臨時的に保存されることを区分するものではない。
【０１９０】
本開示に開示された多様な実施形態による方法は、コンピュータプログラム製品（computer program product）に含まれて提供される。該コンピュータプログラム製品は、商品として、販売者及び購入者の間に取り引きされうる。該コンピュータプログラム製品は、機器によって読み取り可能な記録媒体（例：ＣＤ−ＲＯＭ（compact disc read only memory））の形態、またはアプリケーションストア（例：プレーストア（登録商標））を介してオンラインによっても配布される。オンライン配布の場合、該コンピュータプログラム製品の少なくとも一部は、製造社のサーバ、アプリケーションストアのサーバ、または中継サーバのメモリのような記録媒体に、少なくとも一時保存されるか、あるいは臨時的にも生成される。
【０１９１】
本開示は、多様な実施形態を参照して図示されて説明されたが、当業者は、添付された特許請求の範囲及びその等価物によって定義される本開示の思想及び範囲を外れずに、形態及び細部事項の多様な変更がなされるということを理解するであろう。
【図１】
2021533670.tif 000003
【図２】
2021533670.tif 000004
【図３Ａ】
2021533670.tif 000005
【図３Ｂ】
2021533670.tif 000006
【図３Ｃ】
2021533670.tif 000007
【図４】
2021533670.tif 000008
【図５】
2021533670.tif 000009
【図６】
2021533670.tif 000010
【図７Ａ】
2021533670.tif 000011
【図７Ｂ】
2021533670.tif 000012
【図８】
2021533670.tif 000013
【図９】
2021533670.tif 000014
【国際調査報告】
2021533670.tif 000015
2021533670.tif 000016